(57)【要約】  ５G  NRシステム又は将来の進化型LTEシステムにおける端末装置へ、制御チャネルの時間周波数位置を指示することを実施する制御情報送信／受信方法及び装置が開示される。方法は、端末装置により、ブロードキャスト情報を受信するステップと、少なくとも２つの所定の時間ドメイン位置から、ブロードキャスト情報を搬送するブロードキャストチャネルの時間ドメイン位置を決定するステップと、ブロードキャストチャネルの時間ドメイン位置に基づき、制御チャネルの時間ドメイン位置を決定するステップと、制御チャネルの決定した時間ドメイン位置において、制御チャネル検出を実行するステップと、を含む。
2020530738.tif 000002
【特許請求の範囲】
【請求項１】
制御情報受信方法であって、
ブロードキャストチャネルで搬送されるブロードキャスト情報を受信するステップであって、前記ブロードキャスト情報は、制御チャネルの時間ドメインリソースセットを示すために使用される指示情報を含み、前記ブロードキャストチャネルの位置する同期信号ブロックの時間ドメイン位置は、少なくとも２つの所定の時間ドメイン位置のうちの１つであり、前記同期信号ブロックの前記時間ドメイン位置は、前記同期信号ブロックの位置するタイムスロット内の前記同期信号ブロックの位置である、ステップと、
前記同期信号ブロックの前記時間ドメイン位置に基づき、前記時間ドメインリソースセットから前記制御チャネルの時間ドメイン位置を決定するステップであって、前記制御チャネルの前記時間ドメイン位置は、前記制御チャネルの位置するタイムスロット内の前記制御チャネルの位置である、ステップと、
前記制御チャネルの前記時間ドメイン位置において制御チャネル検出を実行するステップと、
を含む方法。
【請求項２】
前記同期信号ブロックの位置する前記タイムスロット内に、少なくとも２つの所定の時間ドメイン位置が存在する、請求項１に記載の方法。
【請求項３】
前記同期信号ブロックの前記時間ドメイン位置は、前記同期信号ブロックの位置する前記タイムスロットの先頭シンボルに対する、前記同期信号ブロックの位置であり、前記制御チャネルの前記時間ドメイン位置は、前記制御チャネルの位置する前記タイムスロットの先頭シンボルに対する、前記制御チャネルの位置である、請求項１又は２に記載の方法。
【請求項４】
前記制御チャネルの前記時間ドメイン位置は、前記ブロードキャストチャネル及び前記ブロードキャストチャネルに対応する同期信号の時間ドメイン位置に直交する、又は、
前記制御チャネルの前記時間ドメイン位置は、前記ブロードキャストチャネル及び前記ブロードキャストチャネルに対応する同期信号の時間ドメイン位置と同じ又は部分的に同じである、又は、
前記制御チャネルの前記時間ドメイン位置の一部が、前記ブロードキャストチャネル及び前記ブロードキャストチャネルに対応する同期信号の時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
請求項１乃至３のいずれか一項に記載の方法。
【請求項５】
前記ブロードキャストチャネルの前記時間ドメイン位置に基づき、前記時間ドメインリソースセットから前記制御チャネルの時間ドメイン位置を決定する前記ステップは、
前記ブロードキャストチャネルの前記時間ドメイン位置と前記制御チャネルの前記時間ドメイン位置との間の対応に基づき、前記制御チャネルの前記時間ドメイン位置を決定するステップを含む、請求項１乃至４のいずれか一項に記載の方法。
【請求項６】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内に番号０を有するシンボル及び番号１を有するシンボルを含み、
前記同期信号ブロックの前記時間ドメイン位置が前記タイムスロット内の番号２〜５を有するシンボルであるとき、前記制御チャネルの前記時間ドメイン位置は、前記タイムスロット内の前記番号０を有する前記シンボルである、又は、
前記同期信号ブロックの前記時間ドメイン位置が前記タイムスロット内の番号６〜９を有するシンボルであるとき、前記制御チャネルの前記時間ドメイン位置は、前記タイムスロット内の前記番号１を有する前記シンボルである、
請求項１乃至５のいずれか一項に記載の方法。
【請求項７】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内に番号０〜１を有するシンボル及び番号２〜３を有するシンボルを含み、
前記同期信号ブロックの前記時間ドメイン位置が前記タイムスロット内の番号４〜７を有するシンボルであるとき、前記制御チャネルの前記時間ドメイン位置は、前記タイムスロット内の前記番号０〜１を有する前記シンボルである、又は、
前記同期信号ブロックの前記時間ドメイン位置が前記タイムスロット内の番号８〜１１を有するシンボルであるとき、前記制御チャネルの前記時間ドメイン位置は、前記タイムスロット内の前記番号２〜３を有する前記シンボルである、
請求項１乃至５のいずれか一項に記載の方法。
【請求項８】
前記ブロードキャストチャネルのサブキャリア幅は１５kHzであり、前記制御チャネルのサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０〜１を有するシンボルである、
請求項１乃至５のいずれか一項に記載の方法。
【請求項９】
前記ブロードキャストのサブキャリア幅は１５kHzであり、前記制御チャネルにより使用されるサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０を有するシンボルである、
請求項１乃至５のいずれか一項に記載の方法。
【請求項１０】
前記ブロードキャストチャネルの参照信号は、前記制御チャネルの参照信号と疑似コロケーション（QCL）である、請求項１乃至９のいずれか一項に記載の方法。
【請求項１１】
制御情報送信方法であって、
ブロードキャストチャネルでブロードキャスト情報を送信するステップであって、前記ブロードキャスト情報は、制御チャネルの時間ドメインリソースセットを示すために使用される指示情報を含む、ステップと、
端末装置へ、前記制御チャネルの時間ドメイン位置で前記制御チャネルを送信するステップであって、前記制御チャネルの前記時間ドメイン位置は、前記制御チャネルの位置するタイムスロット内の前記制御チャネルの位置であり、前記制御チャネルの前記時間ドメイン位置は、前記ブロードキャストチャネルの位置する同期信号ブロックの時間ドメイン位置に基づき、前記時間ドメインリソースセットから決定され、前記同期信号ブロックの前記時間ドメイン位置は、前記同期信号ブロックの位置するタイムスロット内の前記同期信号ブロックの位置である、ステップと、
を含む方法。
【請求項１２】
前記同期信号ブロックの前記時間ドメイン位置は、前記同期信号ブロックの位置する前記タイムスロットの先頭シンボルに対する、前記同期信号ブロックの位置であり、前記制御チャネルの前記時間ドメイン位置は、前記制御チャネルの位置する前記タイムスロットの先頭シンボルに対する、前記制御チャネルの位置である、請求項１１に記載の方法。
【請求項１３】
前記制御チャネルの前記時間ドメイン位置は、前記ブロードキャストチャネル及び前記ブロードキャストチャネルに対応する同期信号の時間ドメイン位置に直交する、又は、
前記制御チャネルの前記時間ドメイン位置は、前記ブロードキャストチャネル及び前記ブロードキャストチャネルに対応する同期信号の時間ドメイン位置と同じ又は部分的に同じである、又は、
前記制御チャネルの前記時間ドメイン位置の一部が、前記ブロードキャストチャネル及び前記ブロードキャストチャネルに対応する同期信号の時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
請求項１１又は１２に記載の方法。
【請求項１４】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０を有するシンボル及び番号１を有するシンボルであり、
前記同期信号ブロックの前記時間ドメイン位置が前記タイムスロット内の番号２〜５を有するシンボルであるとき、前記制御チャネルの前記時間ドメイン位置は、前記タイムスロット内の前記番号０を有する前記シンボルである、又は、
前記同期信号ブロックの前記時間ドメイン位置が前記タイムスロット内の番号６〜９を有するシンボルであるとき、前記制御チャネルの前記時間ドメイン位置は、前記タイムスロット内の前記番号１を有する前記シンボルである、
請求項１１乃至１３のいずれか一項に記載の方法。
【請求項１５】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０〜１を有するシンボル及び番号２〜３を有するシンボルであり、
前記同期信号ブロックの前記時間ドメイン位置が前記タイムスロット内の番号４〜７を有するシンボルであるとき、前記制御チャネルの前記時間ドメイン位置は、前記タイムスロット内の前記番号０〜１を有する前記シンボルである、又は、
前記同期信号ブロックの前記時間ドメイン位置が前記タイムスロット内の番号８〜１１を有するシンボルであるとき、前記制御チャネルの前記時間ドメイン位置は、前記タイムスロット内の前記番号２〜３を有する前記シンボルである、
請求項１１乃至１３のいずれか一項に記載の方法。
【請求項１６】
前記ブロードキャストチャネルのサブキャリア幅は１５kHzであり、前記制御チャネルのサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０〜１を有するシンボルである、
請求項１１乃至１３のいずれか一項に記載の方法。
【請求項１７】
前記ブロードキャストのサブキャリア幅は１５kHzであり、前記制御チャネルにより使用されるサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０を有するシンボルである、
請求項１１乃至１３のいずれか一項に記載の方法。
【請求項１８】
前記ブロードキャストチャネルの参照信号は、前記制御チャネルの参照信号と疑似コロケーション（QCL）である、請求項１１乃至１７のいずれか一項に記載の方法。
【請求項１９】
制御情報受信機器であって、
ブロードキャストチャネルで搬送されるブロードキャスト情報を受信するよう構成される通信機ユニットであって、前記ブロードキャスト情報は、制御チャネルの時間ドメインリソースセットを示すために使用される指示情報を含み、前記ブロードキャストチャネルの位置する同期信号ブロックの時間ドメイン位置は、少なくとも２つの所定の時間ドメイン位置のうちの１つであり、前記同期信号ブロックの前記時間ドメイン位置は、前記同期信号ブロックの位置するタイムスロット内の前記同期信号ブロックの位置である、通信機ユニットと、
前記同期信号ブロックの前記時間ドメイン位置に基づき、前記時間ドメインリソースセットから前記制御チャネルの時間ドメイン位置を決定するよう構成される処理ユニットであって、前記制御チャネルの前記時間ドメイン位置は、前記制御チャネルの位置するタイムスロット内の前記制御チャネルの位置である、処理ユニットと、
を含み、
前記通信機ユニットは、前記制御チャネルの前記時間ドメイン位置において制御チャネル検出を実行するよう更に構成される、機器。
【請求項２０】
前記同期信号ブロックの位置する前記タイムスロット内に、少なくとも２つの所定の時間ドメイン位置が存在する、請求項１９に記載の機器。
【請求項２１】
前記同期信号ブロックの前記時間ドメイン位置は、前記同期信号ブロックの位置する前記タイムスロットの先頭シンボルに対する、前記同期信号ブロックの位置であり、前記制御チャネルの前記時間ドメイン位置は、前記制御チャネルの位置する前記タイムスロットの先頭シンボルに対する、前記制御チャネルの位置である、請求項１９又は２０に記載の機器。
【請求項２２】
前記制御チャネルの前記時間ドメイン位置は、前記ブロードキャストチャネル及び前記ブロードキャストチャネルに対応する同期信号の時間ドメイン位置に直交する、又は、
前記制御チャネルの前記時間ドメイン位置は、前記ブロードキャストチャネル及び前記ブロードキャストチャネルに対応する同期信号の時間ドメイン位置と同じ又は部分的に同じである、又は、
前記制御チャネルの前記時間ドメイン位置の一部が、前記ブロードキャストチャネル及び前記ブロードキャストチャネルに対応する同期信号の時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
請求項１９乃至２１のいずれか一項に記載の機器。
【請求項２３】
前記プロセッサは、
前記ブロードキャストチャネルの前記時間ドメイン位置と前記制御チャネルの前記時間ドメイン位置との間の対応に基づき、前記制御チャネルの前記時間ドメイン位置を決定するよう更に構成される、請求項１９乃至２２のいずれか一項に記載の機器。
【請求項２４】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０を有するシンボル及び番号１を有するシンボルであり、
前記同期信号ブロックの前記時間ドメイン位置が前記タイムスロット内の番号２〜５を有するシンボルであるとき、前記制御チャネルの前記時間ドメイン位置は、前記タイムスロット内の前記番号０を有する前記シンボルである、又は、
前記同期信号ブロックの前記時間ドメイン位置が前記タイムスロット内の番号６〜９を有するシンボルであるとき、前記制御チャネルの前記時間ドメイン位置は、前記タイムスロット内の前記番号１を有する前記シンボルである、
請求項１９乃至２３のいずれか一項に記載の機器。
【請求項２５】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０〜１を有するシンボル及び番号２〜３を有するシンボルであり、
前記同期信号ブロックの前記時間ドメイン位置が前記タイムスロット内の番号４〜７を有するシンボルであるとき、前記制御チャネルの前記時間ドメイン位置は、前記タイムスロット内の前記番号０〜１を有する前記シンボルである、又は、
前記同期信号ブロックの前記時間ドメイン位置が前記タイムスロット内の番号８〜１１を有するシンボルであるとき、前記制御チャネルの前記時間ドメイン位置は、前記タイムスロット内の前記番号２〜３を有する前記シンボルである、
請求項１９乃至２３のいずれか一項に記載の機器。
【請求項２６】
前記ブロードキャストチャネルのサブキャリア幅は１５kHzであり、前記制御チャネルのサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０〜１を有するシンボルである、
請求項１９乃至２３のいずれか一項に記載の機器。
【請求項２７】
前記ブロードキャストのサブキャリア幅は１５kHzであり、前記制御チャネルにより使用されるサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０を有するシンボルである、
請求項１９乃至２３のいずれか一項に記載の機器。
【請求項２８】
前記ブロードキャストチャネルの参照信号は、前記制御チャネルの参照信号と疑似コロケーション（QCL）である、請求項１９乃至２７のいずれか一項に記載の機器。
【請求項２９】
制御情報送信機器であって、
ブロードキャストチャネルでブロードキャスト情報を送信するよう構成される通信機ユニットであって、前記ブロードキャスト情報は、制御チャネルの時間ドメインリソースセットを示すために使用される指示情報を含む、通信機ユニット、を含み、
前記通信機ユニットは、端末装置へ、前記制御チャネルの時間ドメイン位置で前記制御チャネルを送信するよう更に構成され、前記制御チャネルの前記時間ドメイン位置は、前記制御チャネルの位置するタイムスロット内の前記制御チャネルの位置であり、前記制御チャネルの前記時間ドメイン位置は、前記ブロードキャストチャネルの位置する同期信号ブロックの時間ドメイン位置に基づき、前記時間ドメインリソースセットから決定され、前記同期信号ブロックの前記時間ドメイン位置は、前記同期信号ブロックの位置するタイムスロット内の前記同期信号ブロックの位置である、機器。
【請求項３０】
前記同期信号ブロックの前記時間ドメイン位置は、前記同期信号ブロックの位置する前記タイムスロットの先頭シンボルに対する、前記同期信号ブロックの位置であり、前記制御チャネルの前記時間ドメイン位置は、前記制御チャネルの位置する前記タイムスロットの先頭シンボルに対する、前記制御チャネルの位置である、請求項２９に記載の機器。
【請求項３１】
前記制御チャネルの前記時間ドメイン位置は、前記ブロードキャストチャネル及び前記ブロードキャストチャネルに対応する同期信号の時間ドメイン位置に直交する、又は、
前記制御チャネルの前記時間ドメイン位置は、前記ブロードキャストチャネル及び前記ブロードキャストチャネルに対応する同期信号の時間ドメイン位置と同じ又は部分的に同じである、又は、
前記制御チャネルの前記時間ドメイン位置の一部が、前記ブロードキャストチャネル及び前記ブロードキャストチャネルに対応する同期信号の時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
請求項２９又は３０に記載の機器。
【請求項３２】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０を有するシンボル及び番号１を有するシンボルであり、
前記同期信号ブロックの前記時間ドメイン位置が前記タイムスロット内の番号２〜５を有するシンボルであるとき、前記制御チャネルの前記時間ドメイン位置は、前記タイムスロット内の前記番号０を有する前記シンボルである、又は、
前記同期信号ブロックの前記時間ドメイン位置が前記タイムスロット内の番号６〜９を有するシンボルであるとき、前記制御チャネルの前記時間ドメイン位置は、前記タイムスロット内の前記番号１を有する前記シンボルである、
請求項２９乃至３１のいずれか一項に記載の機器。
【請求項３３】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０〜１を有するシンボル及び番号２〜３を有するシンボルであり、
前記同期信号ブロックの前記時間ドメイン位置が前記タイムスロット内の番号４〜７を有するシンボルであるとき、前記制御チャネルの前記時間ドメイン位置は、前記タイムスロット内の前記番号０〜１を有する前記シンボルである、又は、
前記同期信号ブロックの前記時間ドメイン位置が前記タイムスロット内の番号８〜１１を有するシンボルであるとき、前記制御チャネルの前記時間ドメイン位置は、前記タイムスロット内の前記番号２〜３を有する前記シンボルである、
請求項２９乃至３１のいずれか一項に記載の機器。
【請求項３４】
前記ブロードキャストチャネルのサブキャリア幅は１５kHzであり、前記制御チャネルのサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０〜１を有するシンボルである、
請求項２９乃至３１のいずれか一項に記載の機器。
【請求項３５】
前記ブロードキャストのサブキャリア幅は１５kHzであり、前記制御チャネルにより使用されるサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０を有するシンボルである、
請求項２９乃至３１のいずれか一項に記載の機器。
【請求項３６】
前記ブロードキャストチャネルの参照信号は、前記制御チャネルの参照信号と疑似コロケーション（QCL）である、請求項２９乃至３５のいずれか一項に記載の機器。
【請求項３７】
制御情報受信方法であって、
ブロードキャスト情報を受信するステップと、
少なくとも２つの所定の時間ドメイン位置から、前記ブロードキャスト情報を搬送するブロードキャストチャネルの時間ドメイン位置を決定するステップであって、前記ブロードキャストチャネルの前記時間ドメイン位置はタイムスロット境界に対する位置である、ステップと、
前記ブロードキャストチャネルの前記時間ドメイン位置に基づき、前記制御チャネルの時間ドメイン位置を決定するステップであって、前記制御チャネルの前記時間ドメイン位置は前記タイムスロット境界に対する位置である、ステップと、
前記制御チャネルの前記時間ドメイン位置において制御チャネル検出を実行するステップと、
を含む方法。
【請求項３８】
前記ブロードキャストチャネルの前記時間ドメイン位置に基づき、前記制御チャネルの時間ドメイン位置を決定する前記ステップは、
前記ブロードキャストチャネルの前記時間ドメイン位置に基づき、オフセットを決定するステップと、
前記オフセットに基づき、前記制御チャネルの前記時間ドメイン位置を決定するステップと、
を含む、請求項３７に記載の方法。
【請求項３９】
前記ブロードキャストチャネルの前記時間ドメイン位置に基づき、前記制御チャネルの時間ドメイン位置を決定する前記ステップは、
前記ブロードキャストチャネルの前記時間ドメイン位置と前記制御チャネルの前記時間ドメイン位置との間の対応に基づき、前記制御チャネルの前記時間ドメイン位置を決定するステップを含む、請求項３７に記載の方法。
【請求項４０】
前記ブロードキャストチャネルの前記時間ドメイン位置と、前記ブロードキャストチャネルの前記時間ドメイン位置に基づき決定された前記制御チャネルの前記時間ドメイン位置との間で、以下のオプション：
前記制御チャネルの前記時間ドメイン位置は、前記ブロードキャストチャネル及び前記ブロードキャストチャネルに対応する同期信号の前記時間ドメイン位置に直交する、
前記制御チャネルの前記時間ドメイン位置は、前記ブロードキャストチャネル及び前記ブロードキャストチャネルに対応する同期信号の前記時間ドメイン位置と同じ又は部分的に同じである、及び、
前記制御チャネルの前記時間ドメイン位置の一部が、前記ブロードキャストチャネル及び前記ブロードキャストチャネルに対応する同期信号の前記時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
のうちの１つが真である、請求項３７乃至３９のいずれか一項に記載の方法。
【請求項４１】
前記ブロードキャスト情報は、前記制御チャネルの位置するリソースにより使用されるサブキャリア幅を示すために使用される情報を含み、
前記ブロードキャストチャネルの前記時間ドメイン位置に基づき、前記制御チャネルの時間ドメイン位置を決定する前記ステップは、
前記ブロードキャストチャネルの前記時間ドメイン位置及び前記制御チャネルの位置する前記リソースにより使用される前記サブキャリア幅に基づき、前記制御チャネルの前記時間ドメイン位置を決定するステップを含む、請求項３７乃至４０のいずれか一項に記載の方法。
【請求項４２】
前記ブロードキャスト情報は、前記制御チャネルの時間ドメインリソースセットを示すために使用される指示情報を含み、
前記ブロードキャストチャネルの前記時間ドメイン位置に基づき、制御チャネルの時間ドメイン位置を決定する前記ステップは、
前記ブロードキャストチャネルの前記時間ドメイン位置に基づき、前記時間ドメインリソースセットから、前記制御チャネルの前記時間ドメイン位置を決定するステップを含む、請求項３７乃至４１のいずれか一項に記載の方法。
【請求項４３】
前記ブロードキャストチャネルの参照信号は、前記制御チャネルの参照信号と疑似コロケーション（QCL）である、及び／又は、前記ブロードキャストチャネルの前記参照信号は、前記制御チャネルの同期信号と疑似コロケーション（QCL）である、請求項３７乃至４２のいずれか一項に記載の方法。
【請求項４４】
前記方法は、さらに、
システム情報を受信するステップであって、前記システム情報は、前記制御チャネルと異なる別の制御チャネルの時間周波数リソースを含む、ステップ、
を含む請求項３７乃至４３のいずれか一項に記載の方法。
【請求項４５】
制御情報送信方法であって、
ブロードキャスト情報を送信するステップと、
制御チャネルの時間ドメイン位置で、端末装置へ前記制御チャネルを送信するステップと、
を含み、
前記制御チャネルの前記時間ドメイン位置は、タイムスロット境界に対する位置であり、前記制御チャネルの前記時間ドメイン位置は、前記ブロードキャスト情報を搬送するブロードキャストチャネルの時間ドメイン位置に基づき決定され、前記ブロードキャストチャネルの前記時間ドメイン位置は、前記タイムスロット境界に対する位置である、方法。
【請求項４６】
前記ブロードキャストチャネルの前記時間ドメイン位置と、前記ブロードキャストチャネルの前記時間ドメイン位置に基づき決定された前記制御チャネルの前記時間ドメイン位置との間で、以下のオプション：
前記制御チャネルの前記時間ドメイン位置は、前記ブロードキャストチャネル及び前記ブロードキャストチャネルに対応する同期信号の前記時間ドメイン位置に直交する、
前記制御チャネルの前記時間ドメイン位置は、前記ブロードキャストチャネル及び前記ブロードキャストチャネルに対応する同期信号の前記時間ドメイン位置と同じ又は部分的に同じである、及び、
前記制御チャネルの前記時間ドメイン位置の一部が、前記ブロードキャストチャネル及び前記ブロードキャストチャネルに対応する同期信号の前記時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
のうちの１つが真である、請求項４５に記載の方法。
【請求項４７】
前記ブロードキャスト情報は、前記制御チャネルの位置するリソースにより使用されるサブキャリア幅を示すために使用される情報を含み、
前記ブロードキャスト情報を搬送する前記ブロードキャストチャネルの前記時間ドメイン位置に基づき、前記制御チャネルの時間ドメイン位置が決定されることは、具体的に、
前記ブロードキャスト情報を搬送する前記ブロードキャストチャネルの前記時間ドメイン位置に基づき及び前記制御チャネルの位置する前記リソースにより使用される前記サブキャリア幅に基づき、前記制御チャネルの前記時間ドメイン位置が決定されることである、請求項４５又は４６に記載の方法。
【請求項４８】
前記ブロードキャスト情報は、前記制御チャネルの時間ドメインリソースセットを示すために使用される指示情報を含む、請求項４５乃至４７のいずれか一項に記載の方法。
【請求項４９】
前記ブロードキャストチャネルの参照信号は、前記制御チャネルの参照信号と疑似コロケーション（QCL）である、及び／又は、前記ブロードキャストチャネルの前記参照信号は、前記制御チャネルの同期信号と疑似コロケーション（QCL）である、請求項４５乃至４８のいずれか一項に記載の方法。
【請求項５０】
前記方法は、さらに、
前記端末装置へシステム情報を送信するステップであって、前記システム情報は、前記制御チャネルと異なる別の制御チャネルの時間周波数リソースを含む、ステップ、
を含む請求項４５乃至４９のいずれか一項に記載の方法。
【請求項５１】
制御情報受信機器であって、
ブロードキャスト情報を受信するよう構成される通信機ユニットと、
少なくとも２つの所定の時間ドメイン位置から、前記通信機ユニットにより受信された前記ブロードキャスト情報を搬送するブロードキャストチャネルの時間ドメイン位置を決定し、前記ブロードキャストチャネルの前記時間ドメイン位置はタイムスロット境界に対する位置であり、前記ブロードキャストチャネルの前記時間ドメイン位置に基づき、制御チャネルの時間ドメイン位置を決定するよう構成される処理ユニットであって、前記制御チャネルの前記時間ドメイン位置は前記タイムスロット境界に対する位置である、処理ユニットと、
を含み、
前記通信機ユニットは、さらに、前記制御チャネルの前記時間ドメイン位置において制御チャネル検出を実行するよう構成される、機器。
【請求項５２】
前記ブロードキャストチャネルの前記時間ドメイン位置に基づき、前記制御チャネルの前記時間ドメイン位置を決定するとき、前記処理ユニットは、具体的に、
前記ブロードキャストチャネルの前記時間ドメイン位置に基づき、オフセットを決定し、
前記オフセットに基づき、前記制御チャネルの前記時間ドメイン位置を決定する、
よう構成される、請求項５１に記載の機器。
【請求項５３】
前記ブロードキャストチャネルの前記時間ドメイン位置に基づき、前記制御チャネルの前記時間ドメイン位置を決定するとき、前記処理ユニットは、具体的に、
前記ブロードキャストチャネルの前記時間ドメイン位置と前記制御チャネルの前記時間ドメイン位置との間の対応に基づき、前記制御チャネルの前記時間ドメイン位置を決定するよう構成される、請求項５１に記載の機器。
【請求項５４】
前記ブロードキャストチャネルの前記時間ドメイン位置と、前記ブロードキャストチャネルの前記時間ドメイン位置に基づき決定された前記制御チャネルの前記時間ドメイン位置との間で、以下のオプション：
前記制御チャネルの前記時間ドメイン位置は、前記ブロードキャストチャネル及び前記ブロードキャストチャネルに対応する同期信号の前記時間ドメイン位置に直交する、
前記制御チャネルの前記時間ドメイン位置は、前記ブロードキャストチャネル及び前記ブロードキャストチャネルに対応する同期信号の前記時間ドメイン位置と同じ又は部分的に同じである、及び、
前記制御チャネルの前記時間ドメイン位置の一部が、前記ブロードキャストチャネル及び前記ブロードキャストチャネルに対応する同期信号の前記時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
のうちの１つが真である、請求項５１乃至５３のいずれか一項に記載の機器。
【請求項５５】
前記ブロードキャスト情報は、前記制御チャネルの位置するリソースにより使用されるサブキャリア幅を示すために使用される情報を含み、
前記ブロードキャストチャネルの前記時間ドメイン位置に基づき、前記制御チャネルの前記時間ドメイン位置を決定するとき、前記処理ユニットは、具体的に、
前記ブロードキャストチャネルの前記時間ドメイン位置及び前記制御チャネルの位置する前記リソースにより使用される前記サブキャリア幅に基づき、前記制御チャネルの前記時間ドメイン位置を決定するよう構成される、請求項５１乃至５４のいずれか一項に記載の機器。
【請求項５６】
前記ブロードキャスト情報は、前記制御チャネルの前記時間ドメインリソースセットを示すために使用される指示情報を含み、
前記ブロードキャストチャネルの前記時間ドメイン位置に基づき、前記制御チャネルの前記時間ドメイン位置を決定するとき、前記処理ユニットは、具体的に、
前記ブロードキャストチャネルの前記時間ドメイン位置に基づき、前記時間ドメインリソースセットから、前記制御チャネルの前記時間ドメイン位置を決定するよう構成される、請求項５１乃至５５のいずれか一項に記載の機器。
【請求項５７】
前記ブロードキャストチャネルの参照信号は、前記制御チャネルの参照信号と疑似コロケーション（QCL）である、及び／又は、前記ブロードキャストチャネルの前記参照信号は、前記制御チャネルの同期信号と疑似コロケーション（QCL）である、請求項５１乃至５６のいずれか一項に記載の機器。
【請求項５８】
前記通信機ユニットは、さらに、
システム情報を受信するよう構成され、前記システム情報は、前記制御チャネルと異なる別の制御チャネルの時間周波数リソースを含む、請求項５１乃至５７のいずれか一項に記載の機器。
【請求項５９】
制御情報送信機器であって、
ブロードキャスト情報を送信し、制御チャネルの時間ドメイン位置で、端末装置へ前記制御チャネルを送信するよう構成される通信機ユニット、を含み、
前記制御チャネルの前記時間ドメイン位置は、タイムスロット境界に対する位置であり、前記制御チャネルの前記時間ドメイン位置は、前記ブロードキャスト情報を搬送するブロードキャストチャネルの時間ドメイン位置に基づき決定され、前記ブロードキャストチャネルの前記時間ドメイン位置は、前記タイムスロット境界に対する位置である、機器。
【請求項６０】
前記ブロードキャストチャネルの前記時間ドメイン位置と、前記ブロードキャストチャネルの前記時間ドメイン位置に基づき決定された前記制御チャネルの前記時間ドメイン位置との間で、以下のオプション：
前記制御チャネルの前記時間ドメイン位置は、前記ブロードキャストチャネル及び前記ブロードキャストチャネルに対応する同期信号の前記時間ドメイン位置に直交する、
前記制御チャネルの前記時間ドメイン位置は、前記ブロードキャストチャネル及び前記ブロードキャストチャネルに対応する同期信号の前記時間ドメイン位置と同じ又は部分的に同じである、及び、
前記制御チャネルの前記時間ドメイン位置の一部が、前記ブロードキャストチャネル及び前記ブロードキャストチャネルに対応する同期信号の前記時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
のうちの１つが真である、請求項５９に記載の機器。
【請求項６１】
前記ブロードキャスト情報は、前記制御チャネルの位置するリソースにより使用されるサブキャリア幅を示すために使用される情報を含み、
前記ブロードキャスト情報を搬送する前記ブロードキャストチャネルの前記時間ドメイン位置に基づき、前記制御チャネルの前記時間ドメイン位置が決定されることは、具体的に、
前記ブロードキャスト情報を搬送する前記ブロードキャストチャネルの前記時間ドメイン位置に基づき及び前記制御チャネルの位置する前記リソースにより使用される前記サブキャリア幅に基づき、前記制御チャネルの前記時間ドメイン位置が決定されることである、請求項５９又は６０に記載の機器。
【請求項６２】
前記ブロードキャスト情報は、前記制御チャネルの時間ドメインリソースセットを示すために使用される指示情報を含む、請求項５９乃至６１のいずれか一項に記載の機器。
【請求項６３】
前記ブロードキャストチャネルの参照信号は、前記制御チャネルの参照信号と疑似コロケーション（QCL）である、及び／又は、前記ブロードキャストチャネルの前記参照信号は、前記制御チャネルの同期信号と疑似コロケーション（QCL）である、請求項５９乃至６２のいずれか一項に記載の機器。
【請求項６４】
前記通信機ユニットは、さらに、
前記端末装置へシステム情報を送信するよう構成され、前記システム情報は、前記制御チャネルと異なる別の制御チャネルの時間周波数リソースを含む、請求項５９乃至６３のいずれか一項に記載の機器。
【請求項６５】
コンピュータ可読記憶媒体であって、コンピュータプログラムを格納し、前記コンピュータプログラムは、請求項１乃至１８及び請求項３７乃至５０のいずれか一項に記載の方法の命令を実行するよう構成される、コンピュータ可読記憶媒体。
【発明の詳細な説明】
【技術分野】
【０００１】
［関連出願］
本願は、中国特許出願番号２０１７１０６８７９５６.７、２０１７年８月１１日に中国特許庁に出願、名称「CONTROL  INFORMATION  SENDING/RECEIVING  METHOD  AND  DEVICE」の優先権を主張する。該中国特許出願は、参照によりその全体がここに組み込まれる。
【０００２】
［技術分野］
本願は、通信技術の分野に関し、特に制御情報を送信／受信する方法及び装置に関する。
【背景技術】
【０００３】
既存のロングタームエボリューション（long  term  evolution,  LTE）システムでは、ネットワーク装置は、ブロードキャスト情報を用いて、端末装置に制御チャネルの時間周波数位置を示し、次に端末装置は、制御チャネルの時間周波数位置において制御チャネル検出を実行する。ブロードキャスト情報は、それぞれ制御チャネルの時間ドメイン位置及び周波数ドメイン位置を示すために使用される２つの情報片を搬送する。制御チャネルは、制御チャネル伝送のために使用されるリソースである。
【０００４】
これまで、制御チャネルの時間周波数位置をネットワーク装置により端末装置に示すための技術的ソリューションは、将来の第５世代（５th  generation,  ５G）新無線（new  radio,  NR）システム又は将来の進化型LTEシステムのために定められていない。既存のLTEシステムにおけるネットワーク装置により端末装置に制御チャネルの時間周波数位置を示すための技術的ソリューションが依然として使用される場合、５G  NRシステム又は将来の進化型LTEシステムでは、１つのサブフレーム内に制御チャネルの時間周波数位置を構成するための複数の方式が存在するので、制御チャネルの時間ドメイン位置及び周波数ドメイン位置を示すために使用される２つの情報片のシグナリングオーバヘッドが比較的高くなる。結果として、ブロードキャスト情報のシグナリングオーバヘッドが比較的高くなる。
【０００５】
まとめると、ネットワーク装置により端末装置に制御チャネルの時間周波数位置を示すための技術的ソリューションが、将来の５G  NRシステム又は将来の進化型LTEシステムのために緊急に設計される必要がある。
【発明の概要】
【０００６】
したがって、本願の実施形態は、５G  NRシステム又は将来の進化型LTEシステムにおいて、ネットワーク装置が制御チャネルの時間周波数位置を端末装置に示すことを実施し、それにより、端末装置が制御チャネルの時間周波数位置において制御チャネル検出を実行することを実施するために、制御情報送信／受信方法及び装置を提供する。
【０００７】
第１の態様によると、本願の一実施形態は、制御情報受信方法であって、ブロードキャスト情報を受信するステップと、少なくとも２つの所定の時間ドメイン位置から、ブロードキャスト情報を搬送するブロードキャストチャネルの時間ドメイン位置を決定するステップと、ブロードキャストチャネルの時間ドメイン位置に基づき、制御チャネルの時間ドメイン位置を決定するステップと、制御チャネルの時間ドメイン位置において、制御チャネル検出を実行するステップと、を含む。
【０００８】
少なくとも２つの所定の時間ドメイン位置は、１サブフレーム内でブロードキャストチャネルにより占有される可能性のある時間ドメイン位置である。ブロードキャストチャネルの時間ドメイン位置は、タイムスロット境界に対する位置であり、１つのタイムスロット内にブロードキャストチャネルのための少なくとも２つの時間ドメイン位置が存在してよい。制御チャネルの時間ドメイン位置は、タイムスロット境界に対する位置である。
【０００９】
本方法によると、５G  NRシステム又は将来の進化型LTEシステムにおいて、ネットワーク装置が制御チャネルの時間周波数位置を端末装置に示すことを実施することができる。その結果、端末装置は、制御チャネルの時間周波数位置において制御チャネル検出を実行する。既存のLTEシステムにおける、ネットワーク装置が制御チャネルの時間周波数位置を端末装置に示す技術的ソリューションと比べて、本方法は、制御チャネルの時間ドメイン位置を示すためのシグナリングオーバヘッドを削減でき、それにより、ブロードキャスト情報のシグナリングオーバヘッドを削減する。
【００１０】
相応して、ブロードキャストチャネルの時間ドメイン位置に基づき制御チャネルの時間ドメイン位置を決定する複数の方法がある。以下は、説明のために例として複数の方法のうちの２つを使用する。
【００１１】
第１の方法は、具体的に、ブロードキャストチャネルの時間ドメイン位置に基づきオフセットを決定するステップと、オフセットに基づき制御チャネルの時間ドメイン位置を決定するステップと、である。
【００１２】
第１の方法を用いることにより、端末装置は、ブロードキャストチャネルの時間ドメイン位置に基づき制御チャネルの時間ドメイン位置を、及びブロードキャストチャネルの時間ドメイン位置に対応するオフセットを決定してよい。ブロードキャスト情報は、制御チャネルの時間ドメイン位置を示すために使用される情報を搬送する必要がなく、それによりブロードキャスト情報のシグナリングオーバヘッドを削減する。
【００１３】
第２の方法は、具体的に、ブロードキャストチャネルの時間ドメイン位置と制御チャネルの時間ドメイン位置との間の対応に基づき、制御チャネルの時間ドメイン位置を決定するステップである。
【００１４】
第２の方法を用いることにより、端末装置は、ブロードキャストチャネルの時間ドメイン位置に基づき制御チャネルの時間ドメイン位置を、及びブロードキャストチャネルの時間ドメイン位置と制御チャネルの時間ドメイン位置との間の予め設定された対応を決定してよく、ブロードキャスト情報は、制御チャネルの時間ドメイン位置を示すために使用される情報を搬送する必要がなく、それによりブロードキャスト情報のシグナリングオーバヘッドを削減する。
【００１５】
可能な実装では、ブロードキャストチャネルの時間ドメイン位置及び制御チャネルの時間ドメイン位置の事前構成はランダムに実行されない。以下のオプションのうちの１つは、任意のブロードキャストチャネルの時間ドメイン位置と、ブロードキャストチャネルの時間ドメイン位置に基づき決定された、制御チャネルの時間ドメイン位置との間で、真である必要がある。
【００１６】
第１のオプション。制御チャネルの時間ドメイン位置は、ブロードキャストチャネル及びブロードキャストチャネルに対応する同期信号の時間ドメイン位置と直交する。
【００１７】
第２のオプション。制御チャネルの時間ドメイン位置は、ブロードキャストチャネル及びブロードキャストチャネルに対応する同期信号の時間ドメイン位置と同じ又は部分的に同じである。
【００１８】
第３のオプション。制御チャネルの時間ドメイン位置の一部は、ブロードキャストチャネル及びブロードキャストチャネルに対応する同期信号の時間ドメイン位置と直交し、且つ、制御チャネルの時間ドメイン位置の他の部分は、ブロードキャストチャネル及びブロードキャストチャネルに対応する同期信号の時間ドメイン位置と同じ又は部分的に同じである。
【００１９】
可能な実装では、ブロードキャスト情報が受信された後に、制御チャネルの時間ドメイン位置は、ブロードキャストチャネルの時間ドメイン位置及び制御チャネルの位置するリソースにより使用されるサブキャリア幅に基づき決定される。ここで、受信されたブロードキャスト情報は、制御チャネルの位置するリソースにより使用されるサブキャリア幅を示すために使用される情報を含む。
【００２０】
このように、端末装置は、ブロードキャストチャネルの時間ドメイン位置、及び制御チャネルの位置するリソースにより使用されるサブキャリア幅に基づき、制御チャネルの時間ドメイン位置を決定してよく、ブロードキャスト情報は、制御チャネルの時間ドメイン位置を示すために使用される情報を搬送する必要がなく、それによりブロードキャスト情報のシグナリングオーバヘッドを削減する。
【００２１】
可能な実装では、制御チャネルの時間ドメイン位置は、ブロードキャストチャネルの時間ドメイン位置に基づき、時間ドメインリソースセットから決定される。ここで、ブロードキャスト情報は、制御チャネルの時間ドメインリソースセットを示すために使用される指示情報を含む。
【００２２】
このように、端末装置は、時間ドメインリソースセットから、ブロードキャストチャネルの時間ドメイン位置に基づき、制御チャネルの時間ドメイン位置を決定してよく、ブロードキャスト情報は、制御チャネルの時間ドメイン位置を示すために使用される情報を搬送する必要がなく、それによりブロードキャスト情報のシグナリングオーバヘッドを削減する。
【００２３】
可能な実装では、ブロードキャストチャネルの参照信号は制御チャネルの参照信号とQCLであり、及び／又は、ブロードキャストチャネルの参照信号は制御チャネルの同期信号とQCLである。
【００２４】
可能な実装では、システム情報が受信される。ここで、システム情報は、制御チャネルと異なる別の制御チャネルの時間周波数リソースを含む。
【００２５】
第２の態様によると、本願の一実施形態は、制御情報送信方法であって、ブロードキャスト情報を送信し、及び制御チャネルを端末装置へ制御チャネルの時間ドメイン位置で送信するステップを含む方法を提供する。制御チャネルの時間ドメイン位置は、タイムスロット境界に対する位置である。制御チャネルの時間ドメイン位置は、ブロードキャスト情報を搬送するブロードキャストチャネルの時間ドメイン位置に基づき決定される。ブロードキャストチャネルの時間ドメイン位置は、タイムスロット境界に対する位置である。
【００２６】
本方法によると、５G  NRシステム又は将来の進化型LTEシステムにおいて、ネットワーク装置が制御チャネルの時間周波数位置を端末装置に示すことを実施することができる。その結果、端末装置は、制御チャネルの時間周波数位置において制御チャネル検出を実行する。既存のLTEシステムにおける、ネットワーク装置が制御チャネルの時間周波数位置を端末装置に示す技術的ソリューションと比べて、本方法は、制御チャネルの時間ドメイン位置を示すためのシグナリングオーバヘッドを削減でき、それにより、ブロードキャスト情報のシグナリングオーバヘッドを削減する。
【００２７】
可能な実装では、ブロードキャストチャネルの時間ドメイン位置及び制御チャネルの時間ドメイン位置の事前構成はランダムに実行されない。以下のオプションのうちの１つは、任意のブロードキャストチャネルの時間ドメイン位置と、ブロードキャストチャネルの時間ドメイン位置に基づき決定された、制御チャネルの時間ドメイン位置との間で、真である必要がある。制御チャネルの時間ドメイン位置は、ブロードキャストチャネル及びブロードキャストチャネルに対応する同期信号の時間ドメイン位置に直交する、制御チャネルの時間ドメイン位置は、ブロードキャストチャネル及びブロードキャストチャネルに対応する同期信号の時間ドメイン位置と同じ又は部分的に同じである、制御チャネルの時間ドメイン位置の一部が、ブロードキャストチャネル及びブロードキャストチャネルに対応する同期信号の時間ドメイン位置と直交し、且つ制御チャネルの時間ドメイン位置の他の部分が、ブロードキャストチャネル及びブロードキャストチャネルに対応する同期信号の時間ドメイン位置と同じ又は部分的に同じである。
【００２８】
可能な実装では、ブロードキャスト情報は、制御チャネルの位置するリソースにより使用されるサブキャリア幅を示すために使用される情報を含む。ブロードキャスト情報を搬送するブロードキャストチャネルの時間ドメイン位置に基づき、制御チャネルの時間ドメイン位置が決定されることは、具体的に、ブロードキャスト情報を搬送するブロードキャストチャネルの時間ドメイン位置に基づき及び制御チャネルの位置するリソースにより使用されるサブキャリア幅に基づき、制御チャネルの時間ドメイン位置が決定されることである。
【００２９】
可能な実装では、ブロードキャスト情報は、制御チャネルの時間ドメインリソースセットを示すために使用される指示情報を含む。
【００３０】
可能な実装では、ブロードキャストチャネルの参照信号は制御チャネルの参照信号とQCLであり、及び／又は、ブロードキャストチャネルの参照信号は制御チャネルの同期信号とQCLである。
【００３１】
可能な実装では、システム情報は端末装置へ送信される。ここで、システム情報は、制御チャネルと異なる別の制御チャネルの時間周波数リソースを含む。
【００３２】
第３の態様によると、本願の一実施形態は、制御情報受信機器を提供する。機器は、端末装置であってよく、又は端末装置内にあるチップであってよい。機器は、処理ユニットと通信機ユニットとを含んでよい。機器が端末装置であるとき、処理ユニットはプロセッサであってよく、通信機ユニットは通信機であってよい。端末装置は、さらに、記憶ユニットを含んでよく、記憶ユニットはメモリであってよい。記憶ユニットは、命令を格納するよう構成され、処理ユニットは、記憶ユニットに格納された命令を実行し、その結果、端末装置は、第１の態様における対応する機能を実行する。機器が端末装置内のチップであるとき、処理ユニットはプロセッサであってよく、通信機ユニットは入力／出力インタフェース、ピン、回路、等であってよい。処理ユニットは、記憶ユニットに格納された命令を実行し、その結果、端末装置は第１の態様における対応する機能を実行する。記憶ユニットは、チップ内の記憶ユニット（例えば、レジスタ又はキャッシュ）であってよく、又は端末装置内にあるが該チップの外部に位置する記憶ユニット（例えば、読み出し専用メモリ又はランダムアクセスメモリ）であってよい。
【００３３】
第４の態様によると、本願の一実施形態は、制御情報送信機器を提供する。機器は、ネットワーク装置であってよく、又はネットワーク装置内にあるチップであってよい。機器は、処理ユニットと通信機ユニットとを含んでよい。機器がネットワーク装置であるとき、処理ユニットはプロセッサであってよく、通信機ユニットは通信機であってよい。ネットワーク装置は、さらに、記憶ユニットを含んでよく、記憶ユニットはメモリであってよい。記憶ユニットは、命令を格納するよう構成され、処理ユニットは、記憶ユニットに格納された命令を実行し、その結果、ネットワーク装置は、第１の態様における対応する機能を実行する。機器がネットワーク装置内のチップであるとき、処理ユニットはプロセッサであってよく、通信機ユニットは入力／出力インタフェース、ピン、回路、等であってよい。処理ユニットは、記憶ユニットに格納された命令を実行し、その結果、ネットワーク装置は第１の態様における対応する機能を実行する。記憶ユニットは、チップ内の記憶ユニット（例えば、レジスタ又はキャッシュ）であってよく、又はネットワーク装置内にあるが該チップの外部に位置する記憶ユニット（例えば、読み出し専用メモリ又はランダムアクセスメモリ）であってよい。
【００３４】
第７の態様によると、本願の一実施形態は、コンピュータ記憶媒体を提供する。記憶媒体はソフトウェアプログラムを格納する。ソフトウェアプログラムが１つ以上のプロセッサにより読み出され実行されると、第１の態様及び第１の態様の実装のうちのいずれか１つの方法が実施でき、又は、ソフトウェアプログラムが１つ以上のプロセッサにより読み出され実行されると、第２の態様及び第２の態様の実装のうちのいずれか１つの方法が実施できる。
【００３５】
第８の態様によると、本願の一実施形態は、コンピュータプログラムプロダクトであって、コンピュータプログラムコードを含むコンピュータプログラムプロダクトを提供する。コンピュータプログラムコードが通信ユニット及び処理ユニット、又は通信機及び通信装置（例えば、端末装置又はネットワーク装置）のプロセッサにより実行されると、通信装置は、第１の態様及び第１の態様の実装のうちのいずれか１つの方法を実行し、又は、通信装置は、第２の態様及び第２の態様の実装のうちのいずれか１つの方法を実行する。
【００３６】
第９の態様によると、本願の一実施形態は、通信システムであって、通信システムは端末装置とネットワーク装置とを含む、通信システムを更に提供する。端末装置は、第１の態様及び第１の態様の実装のうちのいずれか１つの方法を実行し、ネットワーク装置は、第２の態様及び第２の態様の実装のうちのいずれか１つの方法を実行する。
【００３７】
第１０の態様によると、チップシステムが提供される。チップシステムは、前述の態様に記載した方法を実施する際に、例えば該方法においてデータ及び／又は情報を生成し又は処理する際に、端末装置又はネットワーク装置をサポートするよう構成されるプロセッサを含む。可能な設計では、チップシステムは、メモリを更に含み、メモリは、端末装置又はネットワーク装置の必要なプログラム命令及びデータを格納するよう構成される。チップシステムは、チップで構成されてよく、又はチップ及び別の個別装置を含んでよい。
【図面の簡単な説明】
【００３８】
【図１Ａ】従来技術におけるサブフレームの概略アーキテクチャ図である。
【００３９】
【図１Ｂ】本願の一実施形態によるネットワークアーキテクチャの概略アーキテクチャ図である。
【００４０】
【図２】本願の一実施形態による制御情報送信／受信方法の概略フローチャートである。
【００４１】
【図３】本願の一実施形態によるサブフレームの概略アーキテクチャ図である。
【００４２】
【図４】本願の一実施形態による別のサブフレームの概略アーキテクチャ図である。
【００４３】
【図５】本願の一実施形態による端末装置の概略構造図である。
【００４４】
【図６】本願の一実施形態による別の端末装置の概略構造図である。
【００４５】
【図７】本願の一実施形態によるネットワーク装置の概略構造図である。
【００４６】
【図８】本願の一実施形態による別のネットワーク装置の概略構造図である。
【００４７】
【図９】本願の一実施形態による通信システムの概略図である。
【発明を実施するための形態】
【００４８】
５G  NRシステム又は将来の進化型LTEシステムでは、制御チャネル検出の間、端末装置は、制御チャネルの時間周波数位置を知る必要がある。既存のLTEシステムにおけるネットワーク装置により端末装置に制御チャネルの時間周波数位置を示すための技術的ソリューションが依然として使用される場合、制御チャネルの時間ドメイン位置及び周波数ドメイン位置を示すために使用される２つの情報片のシグナリングオーバヘッドが比較的高くなる。結果として、ブロードキャスト情報のシグナリングオーバヘッドが比較的高くなる。これまで、ネットワーク装置により端末装置に制御チャネルの時間周波数位置を示すための技術的ソリューションは、５G  NRシステム又は将来の進化型LTEシステムのために定められていない。
【００４９】
したがって、本願の実施形態は、５G  NRシステム又は将来の進化型LTEシステムにおいて、ネットワーク装置が制御チャネルの時間周波数位置を端末装置に示すことを実施するために、制御情報送信／受信方法及び装置を提供する。したがって、端末装置は、制御チャネルの時間周波数位置において制御チャネル検出を実行する。従来のLTEシステムにおける、ネットワーク装置が制御チャネルの時間周波数位置を端末装置に示す技術的ソリューションと比べて、本願の実施形態において提供される技術的ソリューションは、制御チャネルの時間ドメイン位置を示すためのシグナリングオーバヘッドを削減でき、それにより、ブロードキャスト情報のシグナリングオーバヘッドを削減する。方法及び機器は、同じ発明思想に基づく。問題を解決するための方法及び機器の原理は同様であるため、機器の実装と方法の実装との間で相互参照が行われてよく、繰り返しの記載は省略される。
【００５０】
５G  NRシステム又は将来の進化型LTEシステムでは、１つのサブフレームは複数のシンボルを含み、１つのサブフレームは、異なるサブキャリア幅に依存して異なる数のタイムスロットを含み得る。図１Ａに示す１つのサブフレームの構造が一例として使用される。各タイムスロットは番号０〜１３を有する１４個のシンボルを含む。サブキャリア幅が１５kHzのとき、サブフレームは１個のタイムスロットT１を含む。サブキャリア幅が３０kHzのとき、サブフレームは２個のタイムスロットT２−１及びT２−２を含む。サブキャリア幅が６０kHzのとき、サブフレームは４個のタイムスロットT３−１〜T３−４を含む。図１Ａの影付き領域のシンボルは、同期信号ブロックの位置する時間ドメイン位置、つまりブロードキャストチャネルにより占有可能な時間ドメイン位置である。図１Ａでは、サブキャリア幅が３０kHzのとき、ブロードキャストチャネルの時間ドメイン位置は、タイムスロットT２−１内の番号４〜１１を有するシンボル、及びタイムスロットT２−２内の番号２〜９を有するシンボルであってよい。ブロードキャストチャネルは１つのタイムスロット内に少なくとも２つの時間ドメイン位置を有してよいので、１つのサブフレーム内に制御チャネルの時間周波数位置を構成するための複数の方式が存在し得る。
【００５１】
本願の実施形態で提供される技術的ソリューションは、複数のシステムに適用可能であってよい。本願の実施形態で提供される技術的ソリューションが適用可能なシステムは、スパース符号多元接続（sparse  code  multiple  access,  SCMA）システム又は低密度署名（low  density  signature,  LDS）システムのような、非直交多元接続（non−orthogonal  multiple  access,  NOMA）に基づく通信システムであってよい。SCMAシステム及びLDSシステムは、ここに列挙されない通信分野では、他の名称を有することがある。本願の実施形態で提供される技術的ソリューションが適用可能なシステムは、NOMAに基づくマルチキャリア通信システム、例えば、NOMAシステム、直交周波数分割多重（orthogonal  frequency  division  multiplexing,  OFDM）システム、フィルタバンクマルチキャリア（filter  bank  multi−carrier,  FBMC）システム、汎用周波数分割多重（generalized  frequency  division  multiplexing,  GFDM）システム、又はフィルタ処理された周波数分割多重（filtered  orthogonal  frequency  division  multiplexing,  F−OFDM）システムであってよい。本願の実施形態で提供される技術的ソリューションが適用可能なシステムは、５G  NRシステム又は将来の進化型LTEシステムであってもよい。複数のシステムは、全て、端末装置とネットワーク装置とを含む。
【００５２】
本願の実施形態で提供される技術的ソリューションは、制御情報が端末装置とネットワーク装置との間で送信されるシナリオに適用可能である。図１Ｂに示すネットワークアーキテクチャの概略図が一例として使用される。図１Ｂは、端末装置１０１及びネットワーク装置１０２を含む。３個の端末装置１０１及び１個のネットワーク装置１０２のみが図１Ｂに示される。実際の用途では、１つ以上の端末装置１０１及び１つ以上のネットワーク装置１０２が存在してよい。端末装置１０１は、ネットワーク装置１０２のカバレッジ領域内にある。ネットワーク装置１０２は、端末装置１０１に通信サービスを提供するために使用される。端末装置１０１は、ネットワーク装置１０２により送信される、ブロードキャスト情報、制御情報、等を受信できる。図１Ｂに示す矢印は、端末装置１０１とネットワーク装置１０２との間のアップリンク送信又はダウンリンク送信を示すために使用されてよい。
【００５３】
本願の実施形態では、端末装置は、アクセス端末、加入者ユニット、加入者局、移動局、リモート局、リモート端末、モバイル装置、ユーザ端末、端末、無線通信装置、ユーザエージェント、又はユーザ機器であってよい。アクセス端末は、セルラ電話機、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）、無線通信機能を備えるハンドヘルド装置又はコンピューティング装置、無線モデムに接続される別の処理装置、車載装置、ウェアラブル装置、５Gシステムにおけるユーザ機器、将来の進化型公衆地上移動体ネットワーク（public  land  mobile  network,  PLMN）におけるユーザ機器、等であってよい。これは、本願の実施形態において限定されない。
【００５４】
本発明の実施形態では、ネットワーク装置は、ユーザ機器と通信するよう構成される装置であってよい。ネットワーク装置は、移動体通信のためのグローバルシステムフォーモバイルコミュニケーションズ（Global  System  for  Mobile  Communication,  GSM）システム又は符号分割多元接続（Code  Division  Multiple  Access,  CDMA）システムにおける基地トランシーバ局（Base  Transceiver  Station,  BTS）であってよく、又は広帯域符号分割多元接続（Wideband  Code  Division  Multiple  Access,  WCDMA）システムにおけるNodeB（nodeB,  NB）であってよく、又はLTEシステムにおける進化型NodeB（evolved  nodeB,  eNB又はeNodeB）であってよい。代替として、ネットワーク装置は、クラウド無線アクセスネットワーク（cloud  radio  access  network,  CRAN）シナリオにおける無線制御部であってよく、又は中継局、アクセスポイント、車載装置、ウェアラブル装置、５Gシステムにおけるネットワーク装置、将来の進化型PLMNネットワークにおけるネットワーク装置、等であってよい。これは、本願の実施形態において限定されない。
【００５５】
以下は、当業者の理解を助けるために、本願の実施形態における幾つかの用語を説明する。
【００５６】
本願の実施形態におけるシンボルは、以下の種類のシンボル：OFDMシンボル、SCMAシンボル、F−OFDMシンボル、NOMAシンボル、等のうちの１つ又は組み合わせであってよい。これは、本実施形態において限定されない。
【００５７】
サブフレームは、周波数ドメインにおけるシステム帯域幅全体を占有する時間周波数リソースであり、時間ドメインにおいて固定時間長、例えば１ミリ秒を有する。
【００５８】
タイムスロットは、基本時間周波数リソース単位である。１タイムスロットは、少なくとも１個のシンボルを含んでよい。例えば、１タイムスロットは、７又は１４個の連続するOFDMシンボルを含んでよい。
【００５９】
サブキャリア幅は、最も粒度の細かい周波数ドメインリソースである。例えば、LTEシステムでは、１サブキャリアのサブキャリア幅は１５キロヘルツ（kHz）であり、５Gシステムでは、１サブキャリアの幅は１５kHz、３０kHz、及び６０kHzのうちの１つであってよい。
【００６０】
物理リソースブロックは、周波数ドメインにおいてP個の連続するサブキャリアの周波数ドメインリソースを占有してよく、時間ドメインにおいてQ個の連続するOFDMシンボルの時間ドメインリソースを占有してよく、ここで、P及びQの両方は１以上の自然数である。例えば、１物理リソースブロックは、周波数ドメインにおいて１２個の連続するサブキャリアを占有し、時間ドメインにおいて７個の連続するOFDMシンボルを占有してよい。物理リソースブロックでは、Pの値は１２であってよく且つQの値は７であってよく、或いは、Pの値は１２であってよく且つQの値は１４であってよく、或いは、Pの値は１２であってよく且つQの値は１であってよい。
【００６１】
リソースエレメントグループは、周波数ドメインにおいてP個の連続するサブキャリアの周波数ドメインリソースを占有してよく、時間ドメインにおいて１個のOFDMシンボルの時間ドメインリソースを占有してよく、ここで、Pは１より大きい自然数である。例えば、１つのリソースエレメントグループは、周波数ドメインにおいて１２個の連続するサブキャリアを占有してよい。
【００６２】
制御チャネルユニットでは、１つの制御チャネルユニットは、複数のリソースエレメントグループに対応してよく、１つの制御チャネルユニットに対応するリソースエレメントグループの数は固定され、例えば、１つの制御チャネルユニットに対応する６個のリソースエレメントグループである。
【００６３】
ブロードキャストチャネルと制御チャネルとの間の関係は、以下の関係：ブロードキャストチャネルの参照信号が制御チャネルの参照信号と疑似コロケーション（quasi−co−located,  QCL）である、ブロードキャストチャネルの参照信号が制御チャネルの同期信号とQCLである、のうちの１つ又は組み合わせである。ブロードキャストチャネルの参照信号、制御チャネルの参照信号、及び制御チャネルの同期信号は、１つの同期信号ブロック（synchronization  signal  block,  SS  block）で搬送されてよい。
【００６４】
複数は少なくとも２を意味する。
【００６５】
さらに、理解されるべきことに、本願の実施形態の説明における用語「第１」、「第２」、等は、単に、区別される説明を意図しており、相対的重要性の指示若しくは暗示として、又は順序の指示若しくは暗示として解釈されるべきではない。
【００６６】
以下は、添付の図面を参照して本願の実施形態を更に詳細に記載する。
【００６７】
本願の一実施形態は、制御情報受信方法を提供する。方法は、５Gシステム又は将来の進化型LTEシステムに適用可能である。図２は、制御情報受信方法の概略フローチャートであり、以下のステップを含む。
【００６８】
ステップ２０１。端末装置はブロードキャスト情報を受信する。
【００６９】
ステップ２０１で、端末装置は、少なくとも２つの所定の時間ドメイン位置におけるブラインド検出を通じて、ネットワーク装置により送信されたブロードキャスト情報を受信する。
【００７０】
少なくとも２つの所定の時間ドメイン位置は、１サブフレーム内でブロードキャストチャネルにより占有される可能性のある時間ドメイン位置である。図１Ａに示す１つのサブフレームの構造が一例として使用される。各タイムスロットは番号０〜１３を有する１４個のシンボルを含む。サブキャリア幅が１５kHzのとき、サブフレームは１つのタイムスロットT１を含む。サブキャリア幅が３０kHzのとき、サブフレームは２個のタイムスロットT２−１及びT２−２を含む。サブキャリア幅が６０kHzのとき、サブフレームは４個のタイムスロットT３−１〜T３−４を含む。図１Ａの影付き領域のシンボルは、同期信号ブロックの位置する時間ドメイン位置、つまりブロードキャストチャネルにより占有可能な時間ドメイン位置である。図１Ａでは、サブキャリア幅が３０kHzのとき、ブロードキャストチャネルの時間ドメイン位置は、タイムスロットＴ２−１内の番号４〜１１を有するシンボル、及びタイムスロットT２−２内の番号２〜９を有するシンボルであってよい。１つのタイムスロット内にブロードキャストチャネルのための少なくとも２つの時間ドメイン位置があってよい。
【００７１】
ステップ２０２。ブロードキャスト情報を受信した後に、端末装置は、少なくとも２つの所定の時間ドメイン位置から、ブロードキャスト情報を搬送するブロードキャストチャネルの時間ドメイン位置を決定する。
【００７２】
ブロードキャストチャネルの時間ドメイン位置は、タイムスロット境界に対する位置であり、タイムスロット境界は、通常、タイムスロットの開始境界である（又はタイムスロットの左境界と呼ばれる）。本実施形態におけるタイムスロット境界は、代替として、タイムスロットの終了境界（又はタイムスロットの右境界と呼ばれる）であってよい。例えば、タイムスロットの先頭シンボルは、番号０を有するシンボルであり、タイムスロット境界は、通常、番号０を有するシンボルの左境界である。タイムスロット境界がタイムスロットの開始境界である例では、ブロードキャストチャネルの時間ドメイン位置がタイムスロット境界に対する位置であることは、ブロードキャストチャネルの時間ドメイン位置がタイムスロットの開始境界に対する位置であることとして理解できる。この場合、ブロードキャストチャネルの時間ドメイン位置が、タイムスロット内の４番目のシンボルであれば、ブロードキャストチャネルの時間ドメイン位置はタイムスロットの開始境界に対して４番目のシンボルである。
【００７３】
本実施形態では、ステップ２０２は、以下の２つの方法で実施されてよい。
【００７４】
方法１。端末装置により受信されたブロードキャスト情報は、時間ドメイン位置指示情報を含む。
【００７５】
時間ドメイン位置指示情報は、ブロードキャスト情報を搬送するブロードキャストチャネルの時間ドメイン位置を示すために使用されてよい。ブロードキャスト情報は、ステップ２０１で端末装置により受信されたブロードキャスト情報であり、ブロードキャスト情報を搬送するブロードキャストチャネルの時間ドメイン位置は、少なくとも２つの所定の時間ドメイン位置のうちの１つである。例えば、時間ドメイン位置指示情報は、ブロードキャスト情報の中で搬送されるビットにより表されてよい。
【００７６】
方法２。端末装置は、ブロードキャスト情報を搬送するブロードキャストチャネルの時間ドメイン位置を示すために使用される他の指示情報を受信する。
【００７７】
方法２では、他の指示情報は、限定ではないが、第１指示情報及び第２指示情報を含む。第１指示情報は、ブロードキャスト情報を搬送するブロードキャストチャネルの時間ドメイン位置の位置種類を示すために使用され、時間ドメイン位置の各位置種類は、それぞれ、少なくとも１つの時間ドメイン位置を含む。第２指示情報は、第１指示情報により示される位置種類では、ブロードキャスト情報を搬送するブロードキャストチャネルの時間ドメイン位置を示すために使用される。第２指示情報は、ブロードキャストチャネルの参照信号の中で搬送されてよい。例えば、ブロードキャストチャネルの参照信号は、ビットシーケンス長が３ビットの第２指示情報を含む。代替として、第２指示情報の一部は、ブロードキャストチャネルの参照信号で搬送され、第２指示情報の他の部分は、システム情報（master  information  block,  MIB）の中で搬送されてよい。例えば、第２指示情報のビットシーケンス長は６ビットであり、ブロードキャストチャネルの参照信号は６ビットのうちの最初の３ビットであり、MIBは６ビットのうちの３ビットの情報を含む。
【００７８】
ステップ２０２で、端末装置は、ネットワーク装置により送信された第１指示情報を受信し、時間ドメイン位置の少なくとも２つの予め設定された位置種類から、第１指示情報に基づき、ブロードキャスト情報を搬送するブロードキャストチャネルの時間ドメイン位置の位置種類を決定する。端末装置は、ネットワーク装置により送信された第２指示情報を受信し、第２指示情報に基づき、時間ドメイン位置の決定された位置種類に対応する少なくとも１つの時間ドメイン位置から、ブロードキャスト情報を搬送するブロードキャストチャネルの時間ドメイン位置を決定する。
【００７９】
例えば、時間ドメイン位置の、以下の２つの位置種類が予め設定されると想定する。
【００８０】
位置種類１。位置種類１は、８個の時間ドメイン位置を含み、これは、タイムスロットnの中の番号２〜５を有するシンボル、タイムスロットnの中の番号６〜９を有するシンボル、タイムスロットn＋１の中の番号４〜７を有するシンボル、タイムスロットn＋１の中の番号８〜１１を有するシンボル、タイムスロットn＋２の中の番号２〜５を有するシンボル、タイムスロットn＋２の中の番号６〜９を有するシンボル、タイムスロットn＋３の中の番号４〜７を有するシンボル、タイムスロットn＋３の中の番号８〜１１を有するシンボル、である。
【００８１】
位置種類２。位置種類１は、６４個の時間ドメイン位置を含み、これは、タイムスロットnの中の番号２〜５を有するシンボル、タイムスロットnの中の番号８〜１１を有するシンボル、タイムスロットn＋１の中の番号２〜５を有するシンボル、タイムスロットn＋２の中の番号８〜１１を有するシンボル、．．．、タイムスロットn＋７の中の番号２〜５を有するシンボル、タイムスロットn＋７の中の番号８〜１１を有するシンボル、である。
【００８２】
留意すべきことに、前述の位置種類１及び位置種類２は、単なる例であり、時間ドメイン位置の全ての位置種類を表すものではない。
【００８３】
前述の位置種類１及び位置種類２に基づき、以下は２つのケースでステップ２０２を記載する。
【００８４】
ケース１。ステップ２０２で、端末装置は、ネットワーク装置により送信された第１指示情報を受信し、第１指示情報に基づき、ブロードキャスト情報を搬送するブロードキャストチャネルの時間ドメイン位置の位置種類が位置種類１であると決定する。端末装置は、ネットワーク装置により送信されたブロードキャストチャネルの参照信号を受信し、ブロードキャストチャネルの参照信号は、５の値を有する第２指示情報を含む。この場合、端末装置は、位置種類１に対応する８個の時間ドメイン位置から、ブロードキャスト情報を搬送するブロードキャストチャネルの時間ドメイン位置として、５番目の時間ドメイン位置を決定する。
【００８５】
ケース２。ステップ２０２で、端末装置は、ネットワーク装置により送信された第１指示情報を受信し、第１指示情報に基づき、ブロードキャスト情報を搬送するブロードキャストチャネルの時間ドメイン位置の位置種類が位置種類２であると決定する。端末装置は、ネットワーク装置により送信されたブロードキャストチャネルの参照信号及びMIBを受信し、ブロードキャストチャネルの参照信号及びMIBの両方により示される第２指示情報の値は３２である。この場合、端末装置は、位置種類２に対応する６４個の時間ドメイン位置から、ブロードキャスト情報を搬送するブロードキャストチャネルの時間ドメイン位置として、３２番目の時間ドメイン位置を決定する。
【００８６】
ステップ２０３。端末装置は、ブロードキャストチャネルの時間ドメイン位置に基づき、制御チャネルの時間ドメイン位置を決定する。
【００８７】
ステップ２０３で、ブロードキャストチャネルの時間ドメイン位置は、ステップ２０２で決定された、ブロードキャスト情報を搬送するブロードキャストチャネルの時間ドメイン位置である。
【００８８】
制御チャネルの時間ドメイン位置は、タイムスロット境界に対する位置であり、タイムスロット境界は、通常、タイムスロットの開始境界である（又はタイムスロットの左境界と呼ばれる）。本実施形態におけるタイムスロット境界は、代替として、タイムスロットの終了境界（又はタイムスロットの右境界と呼ばれる）であってよい。例えば、タイムスロットの先頭シンボルは、番号０を有するシンボルであり、タイムスロット境界は、通常、番号０を有するシンボルの左境界である。タイムスロット境界がタイムスロットの開始境界であることが、一例として使用される。制御チャネルの時間ドメイン位置がタイムスロット境界に対する位置であることは、制御チャネルの時間ドメイン位置がタイムスロットの開始境界に対する位置であることとして理解できる。この場合、制御チャネルの時間ドメイン位置が、タイムスロット内の５番目のシンボルであれば、制御チャネルの時間ドメイン位置はタイムスロットの開始境界に対して５番目のシンボルである。
【００８９】
本実施形態では、端末装置がブロードキャストチャネルの時間ドメイン位置に基づき制御チャネルの時間ドメイン位置を決定する複数の方法があってよい。以下は、ステップ２０３を説明するために例として複数の方法のうちの３つを使用する。
【００９０】
第１の方法。ステップ２０３で、端末装置は、ブロードキャストチャネルの時間ドメイン位置に基づきオフセットを決定する。ここで、オフセットは、制御チャネルの時間ドメイン位置とブロードキャスト情報を搬送するブロードキャストチャネルの時間ドメイン位置との間の時間ドメインオフセットである。オフセットは、通常、左にシフトされるシンボルの数、又は右にシフトされるシンボルの数により示される。端末装置は、オフセットと、ブロードキャスト情報を搬送するブロードキャストチャネルの時間ドメイン位置と、に基づき、制御チャネルの時間ドメイン位置を決定する。具体的に言うと、ブロードキャスト情報を搬送するブロードキャストチャネルの時間ドメイン位置にオフセットを加算し又は減算することにより端末装置により取得された時間ドメイン位置が、制御チャネルの時間ドメイン位置である。
【００９１】
第１の方法では、ブロードキャストチャネルの時間ドメイン位置とブロードキャストチャネルの時間ドメイン位置に基づき決定されたオフセットとの間の対応は、予め設定される。対応は、プロトコルにより指定されてよい。この場合、対応は、ネットワーク装置及び端末装置に知られている。代替として、ネットワーク装置は、対応を決定した後に、端末装置に対応を送信する。ブロードキャストチャネルの時間ドメイン位置とブロードキャストチャネルの時間ドメイン位置に基づき決定されたオフセットとの間の対応は、ブロードキャストチャネルの時間ドメイン位置及び制御チャネルの時間ドメイン位置が予め構成されるとき、決定される。ブロードキャストチャネルの１つの時間ドメイン位置が１つのオフセットに対応し、或いは、ブロードキャストチャネルの複数の時間ドメイン位置が１つのオフセットに対応する。これは、本実施形態において限定されない。したがって、本実施形態では、ブロードキャストチャネルの時間ドメイン位置及び制御チャネルの時間ドメイン位置は、予め構成される必要がある。以下は、ブロードキャストチャネルの時間ドメイン位置及び制御チャネルの時間ドメイン位置の、事前構成を記載する。
【００９２】
例えば、ブロードキャスト情報を搬送するブロードキャストチャネルの時間ドメイン位置は、タイムスロットT内の番号３を有するシンボルであり、及びブロードキャストチャネルの時間ドメイン位置に対応するオフセットは右への１シンボルシフトであると想定する。次に、制御チャネルの時間ドメイン位置は、タイムスロットT内の番号４を有するシンボルである。
【００９３】
第１の方法を用いることにより、端末装置は、ブロードキャストチャネルの時間ドメイン位置に基づき制御チャネルの時間ドメイン位置を、及びブロードキャストチャネルの時間ドメイン位置に対応するオフセットを決定してよい。したがって、ブロードキャスト情報は、制御チャネルの時間ドメイン位置を示すために使用される情報を搬送する必要がなく、それによりブロードキャスト情報のシグナリングオーバヘッドを削減する。
【００９４】
第２の方法。ステップ２０３で、端末装置は、ブロードキャストチャネルの時間ドメイン位置と制御チャネルの時間ドメイン位置との間の対応に基づき、制御チャネルの時間ドメイン位置を決定する。
【００９５】
ブロードキャストチャネルの時間ドメイン位置と制御チャネルの時間ドメイン位置との対応は予め設定される。対応は、プロトコルにより指定されてよい。この場合、対応は、ネットワーク装置及び端末装置に知られている。代替として、ネットワーク装置は、対応を決定した後に、端末装置に対応を送信する。ブロードキャストチャネルの時間ドメイン位置と制御チャネルの時間ドメイン位置との間の対応は、ブロードキャストチャネルの時間ドメイン位置及び制御チャネルの時間ドメイン位置が予め構成されるとき、決定される。したがって、本実施形態では、ブロードキャストチャネルの時間ドメイン位置及び制御チャネルの時間ドメイン位置は、予め構成される必要がある。以下は、ブロードキャストチャネルの時間ドメイン位置及び制御チャネルの時間ドメイン位置の、事前構成を記載する。
【００９６】
例えば、ブロードキャストチャネルの時間ドメイン位置と制御チャネルの時間ドメイン位置との間の対応は表１に示されると想定する。表１の各行は、ブロードキャストチャネルの時間ドメイン位置と制御チャネルの時間ドメイン位置との対応を表す。端末装置が、ステップ２０２で、ブロードキャスト情報を搬送するブロードキャストチャネルの時間ドメイン位置が番号２〜５を有するシンボルであると決定すると、表１から、制御チャネルの時間ドメイン位置は０〜１であることが分かる。この場合、ブロードキャストチャネルのサブキャリア幅及び制御チャネルのサブキャリア幅は両方とも１５kHzであると想定される。
【表１】
2020530738.tif 000003
【００９７】
留意すべきことに、表１に列挙した、ブロードキャストチャネルの時間ドメイン位置と制御チャネルの時間ドメイン位置との間の対応は、単なる例であり、ブロードキャストチャネルの時間ドメイン位置と制御チャネルの時間ドメイン位置との間の全ての対応を表さない。
【００９８】
第２の方法を用いることにより、端末装置は、ブロードキャストチャネルの時間ドメイン位置に基づき制御チャネルの時間ドメイン位置を、及びブロードキャストチャネルの時間ドメイン位置と制御チャネルの時間ドメイン位置との間の予め設定された対応を決定してよく、ブロードキャスト情報は、制御チャネルの時間ドメイン位置を示すために使用される情報を搬送する必要がなく、それによりブロードキャスト情報のシグナリングオーバヘッドを削減する。
【００９９】
第３の方法。ステップ２０３で、端末装置は、ブロードキャストチャネルの時間ドメイン位置に基づき、時間ドメインリソースセットから、制御チャネルの時間ドメイン位置を決定する。
【０１００】
ブロードキャスト情報が制御チャネルの時間ドメインリソースセットを示すために使用される指示情報を含むとき、端末装置は、指示情報に基づき、制御チャネルの時間ドメイン位置の位置する時間ドメインリソースセットを決定し、時間ドメインリソースセットから、ブロードキャストチャネルの時間ドメイン位置に基づき、ブロードキャストチャネルの時間ドメイン位置に対応する制御チャネルの時間ドメイン位置を決定してよい。
【０１０１】
例えば、任意の時間ドメインリソースセット０及び任意の時間ドメインリソースセット１があると想定する。時間ドメインリソースセット０は、シンボルA及びシンボルBを含み、時間ドメインリソースセット１はシンボルC及びシンボルDを含む。シンボルA、B、C、及びDに対応するブロードキャストチャネルの時間ドメイン位置は、順に位置０、１、２、及び３である。指示情報が制御チャネルの時間ドメインリソースセット０を示すために使用される場合、ブロードキャストチャネルの時間ドメイン位置は位置０である。この場合、端末装置は、時間ドメインリソースセット０から、指示情報及びブロードキャストチャネルの時間ドメイン位置に基づき、シンボルAをブロードキャストチャネルの時間ドメイン位置（つまり位置０）に対応する制御チャネルの時間ドメイン位置として決定する。
【０１０２】
第３の方法を用いることにより、端末装置は、時間ドメインリソースセットから、ブロードキャストチャネルの時間ドメイン位置に基づき、制御チャネルの時間ドメイン位置を決定してよく、ブロードキャスト情報は、制御チャネルの時間ドメイン位置を示すために使用される情報を搬送する必要がなく、それによりブロードキャスト情報のシグナリングオーバヘッドを削減する。
【０１０３】
本実施形態では、制御チャネルのサブキャリア幅がブロードキャストチャネルの時間ドメイン位置及び制御チャネルの時間ドメイン位置の事前構成の間に考慮される場合、つまり、制御チャネルの時間ドメイン位置が、ブロードキャストチャネルの時間ドメイン位置及び制御チャネルのサブキャリア幅の両方により決定される場合、ネットワーク装置は、制御チャネルのサブキャリア幅を端末装置へ送信する。この場合、端末装置は、制御チャネルのサブキャリア幅と、ブロードキャスト情報を搬送するブロードキャストチャネルの時間ドメイン位置と、に基づき、制御チャネルの時間ドメイン位置を決定する。
【０１０４】
例えば、ブロードキャストチャネルの時間ドメイン位置と制御チャネルの時間ドメイン位置との間の対応は表２に示される。端末装置が、ステップ２０２で、ブロードキャスト情報を搬送するブロードキャストチャネルの時間ドメイン位置は番号２〜５を有するシンボルであると決定すると、制御チャネルのサブキャリア幅が１５kHzである場合、表２から、制御チャネルの時間ドメイン位置は番号０を有するシンボルであることが分かり、制御チャネルのサブキャリア幅が３０kHzである場合、表２から、制御チャネルの時間ドメイン位置は番号１を有するシンボルであることが分かる。
【表２】
2020530738.tif 000004
【０１０５】
ステップ２０３で制御チャネルの時間ドメイン位置を決定した後に、端末装置はステップ２０４を実行する。
【０１０６】
ステップ２０４。端末装置は、制御チャネルの時間ドメイン位置で制御チャネル検出を実行する。
【０１０７】
ステップ２０４の前に、端末装置は、制御チャネルの周波数ドメイン位置を知る必要もあり、次に、端末装置は、制御チャネルの時間ドメイン位置及び制御チャネルの周波数ドメイン位置に基づき、制御チャネルの時間周波数位置を決定する。したがって、ステップ２０４で、端末装置は、制御チャネルの時間周波数位置で制御チャネル検出を実行する。従来の方法が、制御チャネルの時間周波数位置において端末装置により制御チャネル検出を実行するために使用されてよく、詳細はここに記載されない。従来の方法は、端末装置により制御チャネルの周波数ドメイン位置を決定するために使用できる。例えば、端末装置は、ブロードキャスト情報に含まれる、制御チャネルの周波数ドメイン位置に関する情報に基づき、制御チャネルの周波数ドメイン位置を決定してよい。詳細は、ここで記載されない。
【０１０８】
本実施形態では、ブロードキャストチャネルの時間ドメイン位置及び制御チャネルの時間ドメイン位置は、予め構成される必要がある。この事前構成処理を通じて、任意のブロードキャストチャネルの時間ドメイン位置と、ブロードキャストチャネルの時間ドメイン位置に基づき決定された、制御チャネルの時間ドメイン位置との間の対応が、分かる。勿論、本実施形態では、ブロードキャストチャネルの時間ドメイン位置及び制御チャネルの時間ドメイン位置の事前構成はランダムに実行されない。以下のオプションのうちの１つは、任意のブロードキャストチャネルの時間ドメイン位置と、ブロードキャストチャネルの時間ドメイン位置に基づき決定された、制御チャネルの時間ドメイン位置との間で、真である必要がある。
【０１０９】
第１のオプション。制御チャネルの時間ドメイン位置は、ブロードキャストチャネル及びブロードキャストチャネルに対応する同期信号の時間ドメイン位置と直交する。
【０１１０】
第１のオプションでは、制御チャネルの時間ドメイン位置は、ブロードキャストチャネルの時間ドメイン位置と直交し、且つ制御チャネルの時間ドメイン位置は、ブロードキャストチャネルに対応する同期信号の時間ドメイン位置と直交する。
【０１１１】
第２のオプション。制御チャネルの時間ドメイン位置は、ブロードキャストチャネル及びブロードキャストチャネルに対応する同期信号の時間ドメイン位置と同じ又は部分的に同じである。
【０１１２】
第２のオプションでは、制御チャネルの時間ドメイン位置は、ブロードキャストチャネルの時間ドメイン位置と同じであり、又は制御チャネルの時間ドメイン位置は、ブロードキャストチャネルの時間ドメイン位置の一部と同じである。制御チャネルの時間ドメイン位置は、ブロードキャストチャネルに対応する同期信号の時間ドメイン位置と同じであり、又は制御チャネルの時間ドメイン位置は、ブロードキャストチャネルに対応する同期信号の時間ドメイン位置の一部と同じである。
【０１１３】
第３のオプション。制御チャネルの時間ドメイン位置の一部は、ブロードキャストチャネル及びブロードキャストチャネルに対応する同期信号の時間ドメイン位置と直交し、且つ、制御チャネルの時間ドメイン位置の他の部分は、ブロードキャストチャネル及びブロードキャストチャネルに対応する同期信号の時間ドメイン位置と同じ又は部分的に同じである。
【０１１４】
第３のオプションでは、制御チャネルの時間ドメイン位置は、ブロードキャストチャネルの時間ドメイン位置の一部と直交し、制御チャネルの時間ドメイン位置は、ブロードキャストチャネルの時間ドメイン位置の他の一部と正確に同じであってよい。代替として、制御チャネルの時間ドメイン位置は、ブロードキャストチャネルの時間ドメイン位置の一部と直交し、制御チャネルの時間ドメイン位置は、ブロードキャストチャネルの時間ドメイン位置の他の部分と部分的に同じであってよい。代替として、制御チャネルの時間ドメイン位置は、ブロードキャストチャネルに対応する同期信号の時間ドメイン位置の一部と直交し、制御チャネルの時間ドメイン位置は、ブロードキャストチャネルに対応する同期信号の時間ドメイン位置の他の部分と正確に同じであってよい。代替として、制御チャネルの時間ドメイン位置は、ブロードキャストチャネルに対応する同期信号の時間ドメイン位置の一部と直交し、制御チャネルの時間ドメイン位置は、ブロードキャストチャネルに対応する同期信号の時間ドメイン位置の他の部分と部分的に同じであってよい。
【０１１５】
前述のオプションのうちの１つが、任意のブロードキャストチャネルの時間ドメイン位置と、ブロードキャストチャネルの時間ドメイン位置に基づき決定された、制御チャネルの時間ドメイン位置との間で真であるとき、ブロードキャストチャネルの時間ドメイン位置と、ブロードキャストチャネルの時間ドメイン位置に基づき決定された、制御チャネルの時間ドメイン位置との間の対応は、以下に例を用いて記載される。
【０１１６】
第１の例では、図３に示すサブフレーム構造を一例として取り入れ、ブロードキャストチャネルの時間ドメイン位置と制御チャネルの時間ドメイン位置との間の対応は、３つの異なるサブキャリア幅を共に用いて記載される。
【０１１７】
ブロードキャストチャネル及び制御チャネルの位置するリソースによりカバーされるサブキャリア幅が両方とも１５kHzであるとき、ブロードキャストチャネルの時間ドメイン位置が番号２〜５を有するシンボルである場合、制御チャネルの時間ドメイン位置は番号０〜１を有するシンボルであり、ブロードキャスト情報を搬送するブロードキャストチャネルの時間ドメイン位置が番号８〜１１を有するシンボルである場合、制御チャネルの時間ドメイン位置は番号７を有するシンボルである。
【０１１８】
ブロードキャストチャネル及び制御チャネルの位置するリソースによりカバーされるサブキャリア幅が両方とも３０kHzであるとき、ブロードキャスト情報を搬送するブロードキャストチャネルの時間ドメイン位置が第１タイムスロット内の番号４〜７を有するシンボルである場合、制御チャネルの時間ドメイン位置は第１タイムスロット内の番号０〜１を有するシンボルであり、ブロードキャスト情報を搬送するブロードキャストチャネルの時間ドメイン位置が第１タイムスロット内の番号８〜１１を有するシンボルである場合、制御チャネルの時間ドメイン位置は第１タイムスロット内の番号２〜３を有するシンボルであり、ブロードキャスト情報を搬送するブロードキャストチャネルの時間ドメイン位置が第２タイムスロット内の番号２〜５を有するシンボルである場合、制御チャネルの時間ドメイン位置は第２タイムスロット内の番号０を有するシンボルであり、ブロードキャスト情報を搬送するブロードキャストチャネルの時間ドメイン位置が第２タイムスロット内の番号６〜９を有するシンボルである場合、制御チャネルの決定された時間ドメイン位置は第２タイムスロット内の番号１を有するシンボルである。
【０１１９】
ブロードキャストチャネル及び制御チャネルの位置するリソースによりカバーされるサブキャリア幅が両方とも６０kHzであるとき、ブロードキャスト情報を搬送するブロードキャストチャネルの時間ドメイン位置が第１タイムスロット内の番号８〜１１を有するシンボルである場合、制御チャネルの時間ドメイン位置は第１タイムスロット内の番号０〜１を有するシンボルであり、ブロードキャスト情報を搬送するブロードキャストチャネルの時間ドメイン位置が第１タイムスロット内の番号１２〜１３を有するシンボル及び第２タイムスロット内の番号０〜１を有するシンボルである場合、制御チャネルの時間ドメイン位置は第１タイムスロット内の番号２〜３を有するシンボルであり、ブロードキャスト情報を搬送するブロードキャストチャネルの時間ドメイン位置が第２タイムスロット内の番号６〜９を有するシンボルである場合、制御チャネルの時間ドメイン位置は第１タイムスロット内の番号６〜７を有するシンボルであり、ブロードキャスト情報を搬送するブロードキャストチャネルの時間ドメイン位置が第３タイムスロット内の番号４〜７を有するシンボルである場合、制御チャネルの決定された時間ドメイン位置は第３タイムスロット内の番号０を有するシンボルであり、ブロードキャスト情報を搬送するブロードキャストチャネルの時間ドメイン位置が第３タイムスロット内の番号８〜１１を有するシンボルである場合、制御チャネルの決定された時間ドメイン位置は第３タイムスロット内の番号１を有するシンボルであり、ブロードキャスト情報を搬送するブロードキャストチャネルの時間ドメイン位置が第３タイムスロット内の番号１２〜１３を有するシンボル及び第４タイムスロット内の番号０〜１を有するシンボルである場合、制御チャネルの決定された時間ドメイン位置は第３タイムスロット内の番号２を有するシンボルであり、ブロードキャスト情報を搬送するブロードキャストチャネルの時間ドメイン位置が第４タイムスロット内の番号２〜５を有するシンボルである場合、制御チャネルの決定された時間ドメイン位置は第３タイムスロット内の番号３を有するシンボルである。
【０１２０】
第２の例では、図４に示すサブフレーム構造を一例として取り入れ、ブロードキャストチャネルの時間ドメイン位置と制御チャネルの時間ドメイン位置との間の以下の幾つかの対応が含まれる。ブロードキャストチャネルの位置するリソースによりカバーされるサブキャリア幅が３０kHzであると想定する。
【０１２１】
ブロードキャスト情報を搬送するブロードキャストチャネルの時間ドメイン位置が第１タイムスロット内の番号４〜７を有するシンボルである場合、カバーされるサブキャリア幅１５kHzを有する制御チャネルの時間ドメイン位置は、番号０を有するシンボルであり、カバーされるサブキャリア幅３０kHzを有する制御チャネルの時間ドメイン位置は、第１タイムスロット内の番号０を有するシンボルであり、カバーされるサブキャリア幅６０kHzを有する制御チャネルの時間ドメイン位置は、第１タイムスロット内の番号０及び１を有するシンボルである。
【０１２２】
ブロードキャスト情報を搬送するブロードキャストチャネルの時間ドメイン位置が第１タイムスロット内の番号８〜１１を有するシンボルである場合、カバーされるサブキャリア幅１５kHzを有する制御チャネルの時間ドメイン位置は、番号１を有するシンボルであり、カバーされるサブキャリア幅３０kHzを有する制御チャネルの時間ドメイン位置は、第１タイムスロット内の番号２〜３を有するシンボルであり、カバーされるサブキャリア幅６０kHzを有する制御チャネルの時間ドメイン位置は、第１タイムスロット内の番号２及び３を有するシンボルである。
【０１２３】
ブロードキャスト情報を搬送するブロードキャストチャネルの時間ドメイン位置が第２タイムスロット内の番号２〜５を有するシンボルである場合、カバーされるサブキャリア幅１５kHzを有する周波数帯のうち上側半分の制御チャネルの時間ドメイン位置は、番号７を有するシンボルであり、カバーされるサブキャリア幅３０kHzを有する制御チャネルの時間ドメイン位置は、第２タイムスロット内の番号０を有するシンボルであり、カバーされるサブキャリア幅６０kHzを有する制御チャネルの時間ドメイン位置は、第３タイムスロット内の番号１を有するシンボルである。
【０１２４】
ブロードキャスト情報を搬送するブロードキャストチャネルの時間ドメイン位置が第２タイムスロット内の番号６〜９を有するシンボルである場合、カバーされるサブキャリア幅１５kHzを有する周波数帯のうち下側半分の制御チャネルの時間ドメイン位置は、番号７を有するシンボルであり、カバーされるサブキャリア幅３０kHzを有する制御チャネルの時間ドメイン位置は、第２タイムスロット内の番号１を有するシンボルであり、カバーされるサブキャリア幅６０kHzを有する制御チャネルの時間ドメイン位置は、第３タイムスロット内の番号１を有するシンボルである。
【０１２５】
可能な実装では、端末装置は、システム情報を受信する。ここで、システム情報は、制御チャネルと異なる別の制御チャネルの時間周波数リソースを含む。システム情報は、限定ではないが、時間ドメイン位置指示情報を含む。時間ドメイン位置指示情報は、ここでは、前述のステップ２０２における時間ドメイン位置指示情報と同様である。ステップ２０２における時間ドメイン位置指示情報の関連する記載を参照し、詳細はここで再び記載されない。前述の方法を用いて、端末装置は、制御チャネルの時間ドメイン位置において制御チャネル検出を実行してよい。その結果、レートマッチングが、端末装置による制御チャネル検出の間に実行でき、それにより、別の制御チャネルからの干渉により引き起こされる制御情報伝送障害を回避し、及び制御情報伝送の性能を保証する。
【０１２６】
本願の本実施形態は、制御情報受信方法を提供する。ネットワーク装置は、制御チャネルの時間周波数位置を端末装置に示し、端末装置は、制御チャネルの時間周波数位置において制御チャネル検出を実行する。既存のLTEシステムにおける、ネットワーク装置が制御チャネルの時間周波数位置を端末装置に示す技術的ソリューションと比べて、本願の本実施形態において提供される技術的ソリューションは、制御チャネルの時間ドメイン位置を示すためのシグナリングオーバヘッドを削減でき、それにより、ブロードキャスト情報のシグナリングオーバヘッドを削減する。
【０１２７】
同じ発明概念に基づき、本願の一実施形態は、端末装置を更に提供する。端末装置は、図２に対応する実施形態で提供された方法における端末装置により実行される方法を実施することが可能である。図５を参照すると、端末装置は、通信機ユニット５０１及び処理ユニット５０２を含む。
【０１２８】
通信機ユニット５０１は、ブロードキャスト情報を受信するよう構成される。
【０１２９】
処理ユニット５０２は、少なくとも２つの所定の時間ドメイン位置から、通信機ユニット５０１により受信されたブロードキャスト情報を搬送するブロードキャストチャネルの時間ドメイン位置を決定し、ブロードキャストチャネルの時間ドメイン位置はタイムスロット境界に対する位置であり、ブロードキャストチャネルの時間ドメイン位置に基づき、制御チャネルの時間ドメイン位置を決定し、制御チャネルの時間ドメイン位置はタイムスロット境界に対する位置である、よう構成される。
【０１３０】
通信機ユニット５０１は、さらに、制御チャネルの時間ドメイン位置で制御チャネル検出を実行するよう構成される。
【０１３１】
可能な実装では、ブロードキャストチャネルの時間ドメイン位置に基づき、制御チャネルの時間ドメイン位置を決定するとき、処理ユニット５０２は、具体的に、ブロードキャストチャネルの時間ドメイン位置に基づき、オフセットを決定し、オフセットに基づき、制御チャネルの時間ドメイン位置を決定する、よう構成される。
【０１３２】
可能な実装では、ブロードキャストチャネルの時間ドメイン位置に基づき、制御チャネルの時間ドメイン位置を決定するとき、処理ユニット５０２は、具体的に、ブロードキャストチャネルの時間ドメイン位置と制御チャネルの時間ドメイン位置との間の対応に基づき、制御チャネルの時間ドメイン位置を決定するよう構成される。
【０１３３】
可能な実装では、ブロードキャストチャネルの時間ドメイン位置と、ブロードキャストチャネルの時間ドメイン位置に基づき決定された制御チャネルの時間ドメイン位置との間で、以下のオプション：制御チャネルの時間ドメイン位置は、ブロードキャストチャネル及びブロードキャストチャネルに対応する同期信号の時間ドメイン位置に直交する、制御チャネルの時間ドメイン位置は、ブロードキャストチャネル及びブロードキャストチャネルに対応する同期信号の時間ドメイン位置と同じ又は部分的に同じである、及び、制御チャネルの時間ドメイン位置の一部が、ブロードキャストチャネル及びブロードキャストチャネルに対応する同期信号の時間ドメイン位置と直交し、且つ制御チャネルの時間ドメイン位置の他の部分が、ブロードキャストチャネル及びブロードキャストチャネルに対応する同期信号の時間ドメイン位置と同じ又は部分的に同じである、のうちの１つが真である。
【０１３４】
可能な実装では、ブロードキャスト情報は、制御チャネルの位置するリソースにより使用されるサブキャリア幅を示すために使用される情報を含む。ブロードキャストチャネルの時間ドメイン位置に基づき、制御チャネルの時間ドメイン位置を決定するとき、処理ユニット５０２は、具体的に、ブロードキャストチャネルの時間ドメイン位置と制御チャネルの位置するリソースにより使用されるサブキャリア幅とに基づき、制御チャネルの時間ドメイン位置を決定するよう構成される。
【０１３５】
可能な実装では、ブロードキャスト情報は、制御チャネルの時間ドメインリソースセットを示すために使用される指示情報を含む。ブロードキャストチャネルの時間ドメイン位置に基づき、制御チャネルの時間ドメイン位置を決定するとき、処理ユニット５０２は、具体的に、時間ドメインリソースセットから、ブロードキャストチャネルの時間ドメイン位置に基づき、制御チャネルの時間ドメイン位置を決定するよう構成される。
【０１３６】
可能な実装では、ブロードキャストチャネルの参照信号は制御チャネルの参照信号とQCLであり、及び／又は、ブロードキャストチャネルの参照信号は制御チャネルの同期信号とQCLである。
【０１３７】
可能な実装では、通信機ユニット５０１は、さらに、システム情報を受信するよう構成される。ここで、システム情報は、制御チャネルと異なる別の制御チャネルの時間周波数リソースを含む。
【０１３８】
留意すべきことに、本願の本実施形態におけるユニット分割は、一例であり、単に論理的機能分割であり、実際の実装中に別の分割があってよい。本願の本実施形態における機能ユニットは、１つの処理ユニットに統合されてよく、或いはユニットの各々が物理的に単独で存在してよく、或いは２以上のユニットが１つのユニットに統合されてよい。統合ユニットは、ハードウェアの形式で実装されてよく、又はソフトウェア機能ユニットの形式で実装されてよい。
【０１３９】
統合ユニットがソフトウェア機能ユニットの形式で実装され、独立した製品として販売され又は使用されるとき、統合ユニットは、コンピュータ可読記憶媒体に格納されてよい。このような理解に基づき、本願の基本的技術的ソリューション、又は従来技術に貢献する部分、又は全部又は一部の技術的ソリューションは、ソフトウェアプロダクトの形式で実施されてよい。ソフトウェアプロダクトは、記憶媒体に格納され、コンピュータ装置（パーソナルコンピュータ、サーバ、又はネットワーク装置であってよい）又はプロセッサ（processor）に、本願の実施形態で記載された方法のステップの全部又は一部を実行するよう指示する複数の命令を含む。前述の記憶媒体は、USBフラッシュドライブ、取り外し可能ハードディスク、読み出し専用メモリ（read−only  memory,  ROM）、ランダムアクセスメモリ（random  access  memory,  RAM）、磁気ディスク又は光ディスクのような、プログラムコードを格納可能な任意の媒体を含む。
【０１４０】
同じ発明概念に基づき、本願の一実施形態は、端末装置を更に提供する。端末装置は、図２に対応する実施形態において提供された方法における端末装置により実行される方法を使用し、図５に示した端末装置と同じ装置であってよい。図６を参照すると、端末装置は、プロセッサ６０１、通信機６０２、及びメモリ６０３を含む。
【０１４１】
プロセッサ６０１は、メモリ６０３に格納されたプログラムを読み出し、以下の処理を実行するよう構成される。
【０１４２】
処理ユニット６０１は、通信機６０２を用いて、ブロードキャスト情報を受信するよう構成される。
【０１４３】
プロセッサ６０１は、さらに、少なくとも２つの所定の時間ドメイン位置から、通信機ユニット６０２により受信されたブロードキャスト情報を搬送するブロードキャストチャネルの時間ドメイン位置を決定し、ブロードキャストチャネルの時間ドメイン位置はタイムスロット境界に対する位置であり、ブロードキャストチャネルの時間ドメイン位置に基づき、制御チャネルの時間ドメイン位置を決定し、制御チャネルの時間ドメイン位置はタイムスロット境界に対する位置である、よう構成される。
【０１４４】
プロセッサ６０１は、さらに、通信機６０２を用いて、制御チャネルの時間ドメイン位置で制御チャネルを検出するよう構成される。
【０１４５】
通信機６０２は、プロセッサ６０１の制御下で、データを受信し及び送信するよう構成される。通信機６０２は、代替として、通信モジュールであってよく、通信モジュールは、データを受信する及び／又はデータを送信するために使用される通信インタフェースを含む。
【０１４６】
可能な実装では、ブロードキャストチャネルの時間ドメイン位置に基づき、制御チャネルの時間ドメイン位置を決定するとき、プロセッサ６０１は、具体的に、ブロードキャストチャネルの時間ドメイン位置に基づき、オフセットを決定し、オフセットに基づき、制御チャネルの時間ドメイン位置を決定する、よう構成される。
【０１４７】
可能な実装では、ブロードキャストチャネルの時間ドメイン位置に基づき、制御チャネルの時間ドメイン位置を決定するとき、プロセッサ６０１は、具体的に、ブロードキャストチャネルの時間ドメイン位置と制御チャネルの時間ドメイン位置との間の対応に基づき、制御チャネルの時間ドメイン位置を決定するよう構成される。
【０１４８】
可能な実装では、ブロードキャストチャネルの時間ドメイン位置と、ブロードキャストチャネルの時間ドメイン位置に基づき決定された制御チャネルの時間ドメイン位置との間で、以下のオプション：制御チャネルの時間ドメイン位置は、ブロードキャストチャネル及びブロードキャストチャネルに対応する同期信号の時間ドメイン位置に直交する、制御チャネルの時間ドメイン位置は、ブロードキャストチャネル及びブロードキャストチャネルに対応する同期信号の時間ドメイン位置と同じ又は部分的に同じである、及び、制御チャネルの時間ドメイン位置の一部が、ブロードキャストチャネル及びブロードキャストチャネルに対応する同期信号の時間ドメイン位置と直交し、且つ制御チャネルの時間ドメイン位置の他の部分が、ブロードキャストチャネル及びブロードキャストチャネルに対応する同期信号の時間ドメイン位置と同じ又は部分的に同じである、のうちの１つが真である。
【０１４９】
可能な実装では、ブロードキャスト情報は、制御チャネルの位置するリソースにより使用されるサブキャリア幅を示すために使用される情報を含む。ブロードキャストチャネルの時間ドメイン位置に基づき、制御チャネルの時間ドメイン位置を決定するとき、プロセッサ６０１は、具体的に、ブロードキャストチャネルの時間ドメイン位置と制御チャネルの位置するリソースにより使用されるサブキャリア幅とに基づき、制御チャネルの時間ドメイン位置を決定するよう構成される。
【０１５０】
可能な実装では、ブロードキャスト情報は、制御チャネルの時間ドメインリソースセットを示すために使用される指示情報を含む。ブロードキャストチャネルの時間ドメイン位置に基づき、制御チャネルの時間ドメイン位置を決定するとき、プロセッサ６０１は、具体的に、時間ドメインリソースセットから、ブロードキャストチャネルの時間ドメイン位置に基づき、制御チャネルの時間ドメイン位置を決定するよう構成される。
【０１５１】
可能な実装では、ブロードキャストチャネルの参照信号は制御チャネルの参照信号とQCLであり、及び／又は、ブロードキャストチャネルの参照信号は制御チャネルの同期信号とQCLである。
【０１５２】
可能な実装では、プロセッサ６０１は、さらに、通信機６０２を用いてシステム情報を受信するよう構成される。ここで、システム情報は、制御チャネルと異なる別の制御チャネルの時間周波数リソースを含む。
【０１５３】
プロセッサ６０１、通信機６０２及びメモリ６０３は、バスを用いて互いに接続される。バスは、周辺機器相互接続（peripheral  component  interconnect,  PCI）バス、拡張業界標準アーキテクチャ（extended  industry  standard  architecture,  EISA）バス、等であってよい。バスは、アドレスバス、データバス、制御バス、等に分類されてよい。
【０１５４】
図６では、バスアーキテクチャは任意の数の相互接続バス及びブリッジを含んでよく、具体的に、プロセッサ６０１により代表される１つ以上のプロセッサの及びメモリ６０３により代表されるメモリの回路を接続する。バスアーキテクチャは、周辺装置、電圧安定器、及び電力管理回路のような種々の他の回路を更に接続してよい。これらは従来知られており、したがって、本願明細書に更に記載されない。バスインタフェースはインタフェースを提供する。通信機６０２は、送信機及び通信機を含む複数のコンポーネントであってよく、伝送媒体上で種々の他の機器と通信するために構成されるユニットを提供する。プロセッサ６０１は、バスアーキテクチャ及び一般的処理の管理を担い、メモリ６０３は、動作中にプロセッサ６０１により使用されるデータを格納してよい。
【０１５５】
任意で、プロセッサ６０１は、中央処理ユニット、特定用途向け集積回路（application  specific  integrated  circuit,  ASIC）、又はフィールドプログラマブルゲートアレイ（field−programmable  gate  array,  FPGA）、又は結合プログラマブル論理装置（complex  programmable  logic  device,  CPLD）であってよい。
【０１５６】
同じ発明概念に基づき、本願の一実施形態は、ネットワーク装置を更に提供する。ネットワーク装置は、図２に対応する実施形態で提供された方法におけるネットワーク装置により実行される方法を実施することが可能である。図７を参照すると、ネットワーク装置は、通信機ユニット７０１を含む。
【０１５７】
通信機ユニット７０１は、ブロードキャスト情報を送信し、制御チャネルの時間ドメイン位置で端末装置へ制御チャネルを送信するよう構成される。
【０１５８】
制御チャネルの時間ドメイン位置は、タイムスロット境界に対する位置である。制御チャネルの時間ドメイン位置は、ブロードキャスト情報を搬送するブロードキャストチャネルの時間ドメイン位置に基づき決定される。ブロードキャストチャネルの時間ドメイン位置は、タイムスロット境界に対する位置である。
【０１５９】
可能な実装では、ブロードキャストチャネルの時間ドメイン位置と、ブロードキャストチャネルの時間ドメイン位置に基づき決定された制御チャネルの時間ドメイン位置との間で、以下のオプション：制御チャネルの時間ドメイン位置は、ブロードキャストチャネル及びブロードキャストチャネルに対応する同期信号の時間ドメイン位置に直交する、制御チャネルの時間ドメイン位置は、ブロードキャストチャネル及びブロードキャストチャネルに対応する同期信号の時間ドメイン位置と同じ又は部分的に同じである、及び、制御チャネルの時間ドメイン位置の一部が、ブロードキャストチャネル及びブロードキャストチャネルに対応する同期信号の時間ドメイン位置と直交し、且つ制御チャネルの時間ドメイン位置の他の部分が、ブロードキャストチャネル及びブロードキャストチャネルに対応する同期信号の時間ドメイン位置と同じ又は部分的に同じである、のうちの１つが真である。
【０１６０】
可能な実装では、ブロードキャスト情報は、制御チャネルの位置するリソースにより使用されるサブキャリア幅を示すために使用される情報を含む。
【０１６１】
ブロードキャスト情報を搬送するブロードキャストチャネルの時間ドメイン位置に基づき、制御チャネルの時間ドメイン位置が決定されることは、具体的に、ブロードキャスト情報を搬送するブロードキャストチャネルの時間ドメイン位置に基づき及び制御チャネルの位置するリソースにより使用されるサブキャリア幅に基づき、制御チャネルの時間ドメイン位置が決定されることである。
【０１６２】
可能な実装では、ブロードキャスト情報は、制御チャネルの時間ドメインリソースセットを示すために使用される指示情報を含む。
【０１６３】
可能な実装では、ブロードキャストチャネルの参照信号は制御チャネルの参照信号とQCLであり、及び／又は、ブロードキャストチャネルの参照信号は制御チャネルの同期信号とQCLである。
【０１６４】
可能な実装では、通信機ユニット７０１は、さらに、端末装置へシステム情報を送信するよう構成される。ここで、システム情報は、制御チャネルと異なる別の制御チャネルの時間周波数リソースを含む。
【０１６５】
留意すべきことに、本願の本実施形態におけるユニット分割は、一例であり、単に論理的機能分割であり、実際の実装中に別の分割があってよい。本願の本実施形態における機能ユニットは、１つの処理ユニットに統合されてよく、或いはユニットの各々が物理的に単独で存在してよく、或いは２以上のユニットが１つのユニットに統合されてよい。統合ユニットは、ハードウェアの形式で実装されてよく、又はソフトウェア機能ユニットの形式で実装されてよい。
【０１６６】
統合ユニットがソフトウェア機能ユニットの形式で実装され、独立した製品として販売され又は使用されるとき、統合ユニットは、コンピュータ可読記憶媒体に格納されてよい。このような理解に基づき、本願の基本的技術的ソリューション、又は従来技術に貢献する部分、又は全部又は一部の技術的ソリューションは、ソフトウェアプロダクトの形式で実施されてよい。ソフトウェアプロダクトは、記憶媒体に格納され、コンピュータ装置（パーソナルコンピュータ、サーバ、又はネットワーク装置であってよい）又はプロセッサ（processor）に、本願の実施形態で記載された方法のステップの全部又は一部を実行するよう指示する複数の命令を含む。前述の記憶媒体は、USBフラッシュドライブ、取り外し可能ハードディスク、ROM、RAM、磁気ディスク又は光ディスクのようなプログラムコードを格納可能な任意の媒体を含む。
【０１６７】
同じ発明概念に基づき、本願の一実施形態は、ネットワーク装置を更に提供する。ネットワーク装置は、図２に対応する実施形態において提供された方法におけるネットワーク装置により実行される方法を使用し、図７に示したネットワーク装置と同じ装置であってよい。図８を参照すると、ネットワーク装置は、プロセッサ８０１、通信機８０２、及びメモリ８０３を含む。
【０１６８】
プロセッサ８０１は、メモリ８０３に格納されたプログラムを読み出し、以下の処理を実行するよう構成される。
【０１６９】
プロセッサ８０１は、通信機８０２を用いてブロードキャスト情報を送信し、制御チャネルの時間ドメイン位置で、端末装置へ制御チャネルを送信するよう構成される。ここで、制御チャネルの時間ドメイン位置は、タイムスロット境界に対する位置であり、制御チャネルの時間ドメイン位置は、ブロードキャスト情報を搬送するブロードキャストチャネルの時間ドメイン位置に基づき決定され、ブロードキャストチャネルの時間ドメイン位置は、タイムスロット境界に対する位置である。
【０１７０】
通信機８０２は、プロセッサ８０１の制御下で、データを受信し及び送信するよう構成される。通信機８０２は、代替として、通信モジュールであってよく、通信モジュールは、データを受信する及び／又はデータを送信するために使用される通信インタフェースを含む。
【０１７１】
可能な実装では、ブロードキャストチャネルの時間ドメイン位置と、ブロードキャストチャネルの時間ドメイン位置に基づき決定された制御チャネルの時間ドメイン位置との間で、以下のオプション：制御チャネルの時間ドメイン位置は、ブロードキャストチャネル及びブロードキャストチャネルに対応する同期信号の時間ドメイン位置に直交する、制御チャネルの時間ドメイン位置は、ブロードキャストチャネル及びブロードキャストチャネルに対応する同期信号の時間ドメイン位置と同じ又は部分的に同じである、及び、制御チャネルの時間ドメイン位置の一部が、ブロードキャストチャネル及びブロードキャストチャネルに対応する同期信号の時間ドメイン位置と直交し、且つ制御チャネルの時間ドメイン位置の他の部分が、ブロードキャストチャネル及びブロードキャストチャネルに対応する同期信号の時間ドメイン位置と同じ又は部分的に同じである、のうちの１つが真である。
【０１７２】
可能な実装では、ブロードキャスト情報は、制御チャネルの位置するリソースにより使用されるサブキャリア幅を示すために使用される情報を含む。
【０１７３】
ブロードキャスト情報を搬送するブロードキャストチャネルの時間ドメイン位置に基づき、制御チャネルの時間ドメイン位置が決定されることは、具体的に、ブロードキャスト情報を搬送するブロードキャストチャネルの時間ドメイン位置に基づき及び制御チャネルの位置するリソースにより使用されるサブキャリア幅に基づき、制御チャネルの時間ドメイン位置が決定されることである。
【０１７４】
可能な実装では、ブロードキャスト情報は、制御チャネルの時間ドメインリソースセットを示すために使用される指示情報を含む。
【０１７５】
可能な実装では、ブロードキャストチャネルの参照信号は制御チャネルの参照信号とQCLであり、及び／又は、ブロードキャストチャネルの参照信号は制御チャネルの同期信号とQCLである。
【０１７６】
可能な実装では、プロセッサ８０１は、さらに、通信機８０２を用いて端末装置へシステム情報を送信するよう構成される。ここで、システム情報は、制御チャネルと異なる別の制御チャネルの時間周波数リソースを含む。
【０１７７】
プロセッサ８０１、通信機８０２及びメモリ８０３は、バスを用いて互いに接続される。バスは、PCIバス、EISAバス、等であってよい。バスは、アドレスバス、データバス、制御バス、等に分類されてよい。
【０１７８】
図８では、バスアーキテクチャは任意の数の相互接続バス及びブリッジを含んでよく、具体的に、プロセッサ８０１により代表される１つ以上のプロセッサの及びメモリ８０３により代表されるメモリの回路を接続する。バスアーキテクチャは、周辺装置、電圧安定器、及び電力管理回路のような種々の他の回路を更に接続してよい。これらは従来知られており、したがって、本願明細書に更に記載されない。バスインタフェースはインタフェースを提供する。通信機８０２は、送信機及び通信機を含む複数のコンポーネントであってよく、伝送媒体上で種々の他の機器と通信するために構成されるユニットを提供する。プロセッサ８０１は、バスアーキテクチャ及び一般的処理の管理を担い、メモリ８０３は、動作中にプロセッサ８０１により使用されるデータを格納してよい。
【０１７９】
任意で、プロセッサ８０１は、中央処理ユニット、ASIC、FPGA、又はCPLDであってよい。
【０１８０】
本願の一実施形態は、コンピュータ記憶媒体を提供する。記憶媒体はソフトウェアプログラムを格納する。ソフトウェアプログラムは、１つ以上のプロセッサにより読み出され実行されると、前述の実施形態における端末装置により実行される制御情報受信方法が実施でき、又は、ソフトウェアプログラムが１つ以上のプロセッサにより読み出され実行されると、前述の実施形態におけるネットワーク装置により実行される制御情報送信方法が実施できる。
【０１８１】
本願の一実施形態は、制御情報受信機器を更に提供する。機器は、チップを含む。チップは、前述の制御情報受信方法における端末装置により実行される方法を実行するよう構成され、チップは、通信機（又は通信モジュール）を用いて、端末装置が前述の制御情報受信方法におけるデータ及び／又は情報を受信する方法を実行する。代替として、チップは、前述の制御情報送信方法におけるネットワーク装置により実行される方法を実行するよう構成され、チップは、通信機（又は通信モジュール）を用いて、ネットワーク装置が前述の制御情報送信方法におけるデータ及び／又は情報を送信する方法を実行する。
【０１８２】
本願の一実施形態は、命令を含むコンピュータプログラムプロダクトを提供する。プログラムがコンピュータ上で実行すると、該コンピュータは、前述の実施形態における端末装置により実行される制御情報受信方法を実行可能にされ、又は、該コンピュータは、前述の実施形態におけるネットワーク装置により実行される制御情報送信方法を実行可能にされる。
【０１８３】
同じ発明概念に基づき、本願の一実施形態は、通信システムを更に提供する。図９に示すように、通信システムは、端末装置９０１と、ネットワーク装置９０２と、を含む。端末装置９０１は、図２に対応する実施形態において提供された方法における端末装置により実行される方法を実行するよう構成され、端末装置９０１は、図５又は図６に示した端末装置と同じ装置であってよい。ネットワーク装置９０２は、図２に対応する実施形態において提供された方法におけるネットワーク装置により実行される方法を実行するよう構成され、ネットワーク装置９０２は、図７又は図８に示したネットワーク装置と同じ装置であってよい。通信システムは、本願の実施形態において提供された制御情報受信方法及び制御情報送信方法を実施できる。
【０１８４】
上述の説明は、本発明の単なる特定の実装であり、本発明の保護範囲を制限するものではない。本発明で開示された技術範囲内にある、当業者により直ちに考案される変形又は置換は、本発明の保護範囲に含まれるべきである。したがって、本発明の保護範囲は、請求項の保護範囲に従う。
【図１Ａ】
2020530738.tif 000005
【図１Ｂ】
2020530738.tif 000006
【図２】
2020530738.tif 000007
【図３】
2020530738.tif 000008
【図４】
2020530738.tif 000009
【図５】
2020530738.tif 000010
【図６】
2020530738.tif 000011
【図７】
2020530738.tif 000012
【図８】
2020530738.tif 000013
【図９】
2020530738.tif 000014
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
制御情報受信方法であって、
ブロードキャストチャネルで搬送されるブロードキャスト情報を受信するステップであって、前記ブロードキャスト情報は、制御チャネルの時間ドメインリソースセットを示すために使用される指示情報を含み、前記ブロードキャストチャネルの位置する同期信号ブロックの時間ドメイン位置は、少なくとも２つの所定の時間ドメイン位置のうちの１つであり、前記同期信号ブロックの前記時間ドメイン位置は、前記同期信号ブロックの位置するタイムスロット内の前記同期信号ブロックの位置である、ステップと、
前記同期信号ブロックの前記時間ドメイン位置に基づき、前記時間ドメインリソースセットから前記制御チャネルの時間ドメイン位置を決定するステップであって、前記制御チャネルの前記時間ドメイン位置は、前記制御チャネルの位置するタイムスロット内の前記制御チャネルの位置である、ステップと、
前記制御チャネルの前記時間ドメイン位置において制御チャネル検出を実行するステップと、
を含む方法。
【請求項２】
前記同期信号ブロックの位置する前記タイムスロット内に、少なくとも２つの所定の時間ドメイン位置が存在する、請求項１に記載の方法。
【請求項３】
前記同期信号ブロックの前記時間ドメイン位置は、前記同期信号ブロックの位置する前記タイムスロットの先頭シンボルに対する、前記同期信号ブロックの位置であり、前記制御チャネルの前記時間ドメイン位置は、前記制御チャネルの位置する前記タイムスロットの先頭シンボルに対する、前記制御チャネルの位置である、請求項１又は２に記載の方法。
【請求項４】
前記制御チャネルの前記時間ドメイン位置は、前記ブロードキャストチャネル及び前記ブロードキャストチャネルに対応する同期信号の時間ドメイン位置に直交する、又は、
前記制御チャネルの前記時間ドメイン位置は、前記ブロードキャストチャネル及び前記ブロードキャストチャネルに対応する同期信号の時間ドメイン位置と同じ又は部分的に同じである、又は、
前記制御チャネルの前記時間ドメイン位置の一部が、前記ブロードキャストチャネル及び前記ブロードキャストチャネルに対応する同期信号の時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
請求項１乃至３のいずれか一項に記載の方法。
【請求項５】
前記同期信号ブロックの前記時間ドメイン位置に基づき、前記時間ドメインリソースセットから前記制御チャネルの時間ドメイン位置を決定する前記ステップは、
前記同期信号ブロックの前記時間ドメイン位置と前記制御チャネルの前記時間ドメイン位置との間の対応に基づき、前記制御チャネルの前記時間ドメイン位置を決定するステップを含む、請求項１乃至４のいずれか一項に記載の方法。
【請求項６】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内に番号０を有するシンボル及び番号１を有するシンボルを含み、
前記同期信号ブロックの前記時間ドメイン位置が前記タイムスロット内の番号２〜５を有するシンボルであるとき、前記制御チャネルの前記時間ドメイン位置は、前記タイムスロット内の前記番号０を有する前記シンボルである、又は、
前記同期信号ブロックの前記時間ドメイン位置が前記タイムスロット内の番号６〜９を有するシンボルであるとき、前記制御チャネルの前記時間ドメイン位置は、前記タイムスロット内の前記番号１を有する前記シンボルである、
請求項１乃至５のいずれか一項に記載の方法。
【請求項７】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内に番号０〜１を有するシンボル及び番号２〜３を有するシンボルを含み、
前記同期信号ブロックの前記時間ドメイン位置が前記タイムスロット内の番号４〜７を有するシンボルであるとき、前記制御チャネルの前記時間ドメイン位置は、前記タイムスロット内の前記番号０〜１を有する前記シンボルである、又は、
前記同期信号ブロックの前記時間ドメイン位置が前記タイムスロット内の番号８〜１１を有するシンボルであるとき、前記制御チャネルの前記時間ドメイン位置は、前記タイムスロット内の前記番号２〜３を有する前記シンボルである、
請求項１乃至５のいずれか一項に記載の方法。
【請求項８】
前記ブロードキャストチャネルのサブキャリア幅は１５kHzであり、前記制御チャネルのサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０〜１を有するシンボルである、
請求項１乃至５のいずれか一項に記載の方法。
【請求項９】
前記ブロードキャストチャネルのサブキャリア幅は１５kHzであり、前記制御チャネルにより使用されるサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０を有するシンボルである、
請求項１乃至５のいずれか一項に記載の方法。
【請求項１０】
前記ブロードキャストチャネルの参照信号は、前記制御チャネルの参照信号と疑似コロケーション（QCL）である、請求項１乃至９のいずれか一項に記載の方法。
【請求項１１】
制御情報送信方法であって、
ブロードキャストチャネルでブロードキャスト情報を送信するステップであって、前記ブロードキャスト情報は、制御チャネルの時間ドメインリソースセットを示すために使用される指示情報を含む、ステップと、
端末装置へ、前記制御チャネルの時間ドメイン位置で前記制御チャネルを送信するステップであって、前記制御チャネルの前記時間ドメイン位置は、前記制御チャネルの位置するタイムスロット内の前記制御チャネルの位置であり、前記制御チャネルの前記時間ドメイン位置は、前記ブロードキャストチャネルの位置する同期信号ブロックの時間ドメイン位置に基づき、前記時間ドメインリソースセットから決定され、前記同期信号ブロックの前記時間ドメイン位置は、前記同期信号ブロックの位置するタイムスロット内の前記同期信号ブロックの位置である、ステップと、
を含む方法。
【請求項１２】
前記同期信号ブロックの前記時間ドメイン位置は、前記同期信号ブロックの位置する前記タイムスロットの先頭シンボルに対する、前記同期信号ブロックの位置であり、前記制御チャネルの前記時間ドメイン位置は、前記制御チャネルの位置する前記タイムスロットの先頭シンボルに対する、前記制御チャネルの位置である、請求項１１に記載の方法。
【請求項１３】
前記制御チャネルの前記時間ドメイン位置は、前記ブロードキャストチャネル及び前記ブロードキャストチャネルに対応する同期信号の時間ドメイン位置に直交する、又は、
前記制御チャネルの前記時間ドメイン位置は、前記ブロードキャストチャネル及び前記ブロードキャストチャネルに対応する同期信号の時間ドメイン位置と同じ又は部分的に同じである、又は、
前記制御チャネルの前記時間ドメイン位置の一部が、前記ブロードキャストチャネル及び前記ブロードキャストチャネルに対応する同期信号の時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
請求項１１又は１２に記載の方法。
【請求項１４】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０を有するシンボル及び番号１を有するシンボルであり、
前記同期信号ブロックの前記時間ドメイン位置が前記タイムスロット内の番号２〜５を有するシンボルであるとき、前記制御チャネルの前記時間ドメイン位置は、前記タイムスロット内の前記番号０を有する前記シンボルである、又は、
前記同期信号ブロックの前記時間ドメイン位置が前記タイムスロット内の番号６〜９を有するシンボルであるとき、前記制御チャネルの前記時間ドメイン位置は、前記タイムスロット内の前記番号１を有する前記シンボルである、
請求項１１乃至１３のいずれか一項に記載の方法。
【請求項１５】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０〜１を有するシンボル及び番号２〜３を有するシンボルであり、
前記同期信号ブロックの前記時間ドメイン位置が前記タイムスロット内の番号４〜７を有するシンボルであるとき、前記制御チャネルの前記時間ドメイン位置は、前記タイムスロット内の前記番号０〜１を有する前記シンボルである、又は、
前記同期信号ブロックの前記時間ドメイン位置が前記タイムスロット内の番号８〜１１を有するシンボルであるとき、前記制御チャネルの前記時間ドメイン位置は、前記タイムスロット内の前記番号２〜３を有する前記シンボルである、
請求項１１乃至１３のいずれか一項に記載の方法。
【請求項１６】
前記ブロードキャストチャネルのサブキャリア幅は１５kHzであり、前記制御チャネルのサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０〜１を有するシンボルである、
請求項１１乃至１３のいずれか一項に記載の方法。
【請求項１７】
前記ブロードキャストチャネルのサブキャリア幅は１５kHzであり、前記制御チャネルにより使用されるサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０を有するシンボルである、
請求項１１乃至１３のいずれか一項に記載の方法。
【請求項１８】
前記ブロードキャストチャネルの参照信号は、前記制御チャネルの参照信号と疑似コロケーション（QCL）である、請求項１１乃至１７のいずれか一項に記載の方法。
【請求項１９】
制御情報受信機器であって、
ブロードキャストチャネルで搬送されるブロードキャスト情報を受信するよう構成される通信機ユニットであって、前記ブロードキャスト情報は、制御チャネルの時間ドメインリソースセットを示すために使用される指示情報を含み、前記ブロードキャストチャネルの位置する同期信号ブロックの時間ドメイン位置は、少なくとも２つの所定の時間ドメイン位置のうちの１つであり、前記同期信号ブロックの前記時間ドメイン位置は、前記同期信号ブロックの位置するタイムスロット内の前記同期信号ブロックの位置である、通信機ユニットと、
前記同期信号ブロックの前記時間ドメイン位置に基づき、前記時間ドメインリソースセットから前記制御チャネルの時間ドメイン位置を決定するよう構成される処理ユニットであって、前記制御チャネルの前記時間ドメイン位置は、前記制御チャネルの位置するタイムスロット内の前記制御チャネルの位置である、処理ユニットと、
を含み、
前記通信機ユニットは、前記制御チャネルの前記時間ドメイン位置において制御チャネル検出を実行するよう更に構成される、機器。
【請求項２０】
前記同期信号ブロックの位置する前記タイムスロット内に、少なくとも２つの所定の時間ドメイン位置が存在する、請求項１９に記載の機器。
【請求項２１】
前記同期信号ブロックの前記時間ドメイン位置は、前記同期信号ブロックの位置する前記タイムスロットの先頭シンボルに対する、前記同期信号ブロックの位置であり、前記制御チャネルの前記時間ドメイン位置は、前記制御チャネルの位置する前記タイムスロットの先頭シンボルに対する、前記制御チャネルの位置である、請求項１９又は２０に記載の機器。
【請求項２２】
前記制御チャネルの前記時間ドメイン位置は、前記ブロードキャストチャネル及び前記ブロードキャストチャネルに対応する同期信号の時間ドメイン位置に直交する、又は、
前記制御チャネルの前記時間ドメイン位置は、前記ブロードキャストチャネル及び前記ブロードキャストチャネルに対応する同期信号の時間ドメイン位置と同じ又は部分的に同じである、又は、
前記制御チャネルの前記時間ドメイン位置の一部が、前記ブロードキャストチャネル及び前記ブロードキャストチャネルに対応する同期信号の時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
請求項１９乃至２１のいずれか一項に記載の機器。
【請求項２３】
前記処理ユニットは、
前記同期信号ブロックの前記時間ドメイン位置と前記制御チャネルの前記時間ドメイン位置との間の対応に基づき、前記制御チャネルの前記時間ドメイン位置を決定するよう更に構成される、請求項１９乃至２２のいずれか一項に記載の機器。
【請求項２４】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０を有するシンボル及び番号１を有するシンボルであり、
前記同期信号ブロックの前記時間ドメイン位置が前記タイムスロット内の番号２〜５を有するシンボルであるとき、前記制御チャネルの前記時間ドメイン位置は、前記タイムスロット内の前記番号０を有する前記シンボルである、又は、
前記同期信号ブロックの前記時間ドメイン位置が前記タイムスロット内の番号６〜９を有するシンボルであるとき、前記制御チャネルの前記時間ドメイン位置は、前記タイムスロット内の前記番号１を有する前記シンボルである、
請求項１９乃至２３のいずれか一項に記載の機器。
【請求項２５】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０〜１を有するシンボル及び番号２〜３を有するシンボルであり、
前記同期信号ブロックの前記時間ドメイン位置が前記タイムスロット内の番号４〜７を有するシンボルであるとき、前記制御チャネルの前記時間ドメイン位置は、前記タイムスロット内の前記番号０〜１を有する前記シンボルである、又は、
前記同期信号ブロックの前記時間ドメイン位置が前記タイムスロット内の番号８〜１１を有するシンボルであるとき、前記制御チャネルの前記時間ドメイン位置は、前記タイムスロット内の前記番号２〜３を有する前記シンボルである、
請求項１９乃至２３のいずれか一項に記載の機器。
【請求項２６】
前記ブロードキャストチャネルのサブキャリア幅は１５kHzであり、前記制御チャネルのサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０〜１を有するシンボルである、
請求項１９乃至２３のいずれか一項に記載の機器。
【請求項２７】
前記ブロードキャストチャネルのサブキャリア幅は１５kHzであり、前記制御チャネルにより使用されるサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０を有するシンボルである、
請求項１９乃至２３のいずれか一項に記載の機器。
【請求項２８】
前記ブロードキャストチャネルの参照信号は、前記制御チャネルの参照信号と疑似コロケーション（QCL）である、請求項１９乃至２７のいずれか一項に記載の機器。
【請求項２９】
制御情報送信機器であって、
ブロードキャストチャネルでブロードキャスト情報を送信するよう構成される通信機ユニットであって、前記ブロードキャスト情報は、制御チャネルの時間ドメインリソースセットを示すために使用される指示情報を含む、通信機ユニット、を含み、
前記通信機ユニットは、端末装置へ、前記制御チャネルの時間ドメイン位置で前記制御チャネルを送信するよう更に構成され、前記制御チャネルの前記時間ドメイン位置は、前記制御チャネルの位置するタイムスロット内の前記制御チャネルの位置であり、前記制御チャネルの前記時間ドメイン位置は、前記ブロードキャストチャネルの位置する同期信号ブロックの時間ドメイン位置に基づき、前記時間ドメインリソースセットから決定され、前記同期信号ブロックの前記時間ドメイン位置は、前記同期信号ブロックの位置するタイムスロット内の前記同期信号ブロックの位置である、機器。
【請求項３０】
前記同期信号ブロックの前記時間ドメイン位置は、前記同期信号ブロックの位置する前記タイムスロットの先頭シンボルに対する、前記同期信号ブロックの位置であり、前記制御チャネルの前記時間ドメイン位置は、前記制御チャネルの位置する前記タイムスロットの先頭シンボルに対する、前記制御チャネルの位置である、請求項２９に記載の機器。
【請求項３１】
前記制御チャネルの前記時間ドメイン位置は、前記ブロードキャストチャネル及び前記ブロードキャストチャネルに対応する同期信号の時間ドメイン位置に直交する、又は、
前記制御チャネルの前記時間ドメイン位置は、前記ブロードキャストチャネル及び前記ブロードキャストチャネルに対応する同期信号の時間ドメイン位置と同じ又は部分的に同じである、又は、
前記制御チャネルの前記時間ドメイン位置の一部が、前記ブロードキャストチャネル及び前記ブロードキャストチャネルに対応する同期信号の時間ドメイン位置と直交し、且つ前記制御チャネルの前記時間ドメイン位置の他の部分が、前記ブロードキャストチャネル及び前記ブロードキャストチャネルに対応する前記同期信号の前記時間ドメイン位置と同じ又は部分的に同じである、
請求項２９又は３０に記載の機器。
【請求項３２】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０を有するシンボル及び番号１を有するシンボルであり、
前記同期信号ブロックの前記時間ドメイン位置が前記タイムスロット内の番号２〜５を有するシンボルであるとき、前記制御チャネルの前記時間ドメイン位置は、前記タイムスロット内の前記番号０を有する前記シンボルである、又は、
前記同期信号ブロックの前記時間ドメイン位置が前記タイムスロット内の番号６〜９を有するシンボルであるとき、前記制御チャネルの前記時間ドメイン位置は、前記タイムスロット内の前記番号１を有する前記シンボルである、
請求項２９乃至３１のいずれか一項に記載の機器。
【請求項３３】
前記ブロードキャストチャネルのサブキャリア幅は３０kHzであり、前記制御チャネルのサブキャリア幅は３０kHzであり、前記ブロードキャスト情報により示される前記制御チャネルの前記時間ドメインリソースセットは、前記制御チャネルの位置する前記タイムスロット内の番号０〜１を有するシンボル及び番号２〜３を有するシンボルであり、
前記同期信号ブロックの前記時間ドメイン位置が前記タイムスロット内の番号４〜７を有するシンボルであるとき、前記制御チャネルの前記時間ドメイン位置は、前記タイムスロット内の前記番号０〜１を有する前記シンボルである、又は、
前記同期信号ブロックの前記時間ドメイン位置が前記タイムスロット内の番号８〜１１を有するシンボルであるとき、前記制御チャネルの前記時間ドメイン位置は、前記タイムスロット内の前記番号２〜３を有する前記シンボルである、
請求項２９乃至３１のいずれか一項に記載の機器。
【請求項３４】
前記ブロードキャストチャネルのサブキャリア幅は１５kHzであり、前記制御チャネルのサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０〜１を有するシンボルである、
請求項２９乃至３１のいずれか一項に記載の機器。
【請求項３５】
前記ブロードキャストチャネルのサブキャリア幅は１５kHzであり、前記制御チャネルにより使用されるサブキャリア幅は１５kHzであり、
前記同期信号ブロックの前記時間ドメイン位置が前記タイムスロット内の番号２〜５を有するシンボルであるとき、前記制御チャネルの前記時間ドメイン位置は、前記タイムスロット内の番号０を有するシンボルである、
請求項２９乃至３１のいずれか一項に記載の機器。
【請求項３６】
前記ブロードキャストチャネルの参照信号は、前記制御チャネルの参照信号と疑似コロケーション（QCL）である、請求項２９乃至３５のいずれか一項に記載の機器。
【請求項３７】
コンピュータプログラムであって、コンピュータにより実行されると、前記コンピュータに請求項１乃至１０のいずれか一項に記載の方法及び請求項１１乃至１８のいずれか一項に記載の方法を実行させる命令を含む、コンピュータプログラム。
【請求項３８】
機器であって、プロセッサと前記プロセッサにより実行するための命令を格納する記憶媒体とを含み、前記命令が実行されると、前記プロセッサは、前記機器に、請求項１乃至１０のいずれか一項に記載の方法及び請求項１１乃至１８のいずれか一項に記載の方法を実行させるよう構成される、機器。
【手続補正２】
【補正対象書類名】明細書
【補正対象項目名】００３３
【補正方法】変更
【補正の内容】
【００３３】
第４の態様によると、本願の一実施形態は、制御情報送信機器を提供する。機器は、ネットワーク装置であってよく、又はネットワーク装置内にあるチップであってよい。機器は、処理ユニットと通信機ユニットとを含んでよい。機器がネットワーク装置であるとき、処理ユニットはプロセッサであってよく、通信機ユニットは通信機であってよい。ネットワーク装置は、さらに、記憶ユニットを含んでよく、記憶ユニットはメモリであってよい。記憶ユニットは、命令を格納するよう構成され、処理ユニットは、記憶ユニットに格納された命令を実行し、その結果、ネットワーク装置は、第２の態様における対応する機能を実行する。機器がネットワーク装置内のチップであるとき、処理ユニットはプロセッサであってよく、通信機ユニットは入力／出力インタフェース、ピン、回路、等であってよい。処理ユニットは、記憶ユニットに格納された命令を実行し、その結果、ネットワーク装置は第２の態様における対応する機能を実行する。記憶ユニットは、チップ内の記憶ユニット（例えば、レジスタ又はキャッシュ）であってよく、又はネットワーク装置内にあるが該チップの外部に位置する記憶ユニット（例えば、読み出し専用メモリ又はランダムアクセスメモリ）であってよい。
【手続補正３】
【補正対象書類名】明細書
【補正対象項目名】００３４
【補正方法】変更
【補正の内容】
【００３４】
第５の態様によると、本願の一実施形態は、コンピュータ記憶媒体を提供する。記憶媒体はソフトウェアプログラムを格納する。ソフトウェアプログラムが１つ以上のプロセッサにより読み出され実行されると、第１の態様及び第１の態様の実装のうちのいずれか１つの方法が実施でき、又は、ソフトウェアプログラムが１つ以上のプロセッサにより読み出され実行されると、第２の態様及び第２の態様の実装のうちのいずれか１つの方法が実施できる。
【手続補正４】
【補正対象書類名】明細書
【補正対象項目名】００３５
【補正方法】変更
【補正の内容】
【００３５】
第６の態様によると、本願の一実施形態は、コンピュータプログラムプロダクトであって、コンピュータプログラムコードを含むコンピュータプログラムプロダクトを提供する。コンピュータプログラムコードが通信ユニット及び処理ユニット、又は通信機及び通信装置（例えば、端末装置又はネットワーク装置）のプロセッサにより実行されると、通信装置は、第１の態様及び第１の態様の実装のうちのいずれか１つの方法を実行し、又は、通信装置は、第２の態様及び第２の態様の実装のうちのいずれか１つの方法を実行する。
【手続補正５】
【補正対象書類名】明細書
【補正対象項目名】００３６
【補正方法】変更
【補正の内容】
【００３６】
第７の態様によると、本願の一実施形態は、通信システムであって、通信システムは端末装置とネットワーク装置とを含む、通信システムを更に提供する。端末装置は、第１の態様及び第１の態様の実装のうちのいずれか１つの方法を実行し、ネットワーク装置は、第２の態様及び第２の態様の実装のうちのいずれか１つの方法を実行する。
【手続補正６】
【補正対象書類名】明細書
【補正対象項目名】００３７
【補正方法】変更
【補正の内容】
【００３７】
第８の態様によると、チップシステムが提供される。チップシステムは、前述の態様に記載した方法を実施する際に、例えば該方法においてデータ及び／又は情報を生成し又は処理する際に、端末装置又はネットワーク装置をサポートするよう構成されるプロセッサを含む。可能な設計では、チップシステムは、メモリを更に含み、メモリは、端末装置又はネットワーク装置の必要なプログラム命令及びデータを格納するよう構成される。チップシステムは、チップで構成されてよく、又はチップ及び別の個別装置を含んでよい。
【手続補正７】
【補正対象書類名】明細書
【補正対象項目名】００７７
【補正方法】変更
【補正の内容】
【００７７】
方法２では、他の指示情報は、限定ではないが、第１指示情報及び第２指示情報を含む。第１指示情報は、ブロードキャスト情報を搬送するブロードキャストチャネルの時間ドメイン位置の位置種類を示すために使用され、時間ドメイン位置の各位置種類は、それぞれ、少なくとも１つの時間ドメイン位置を含む。第２指示情報は、第１指示情報により示される位置種類では、ブロードキャスト情報を搬送するブロードキャストチャネルの時間ドメイン位置を示すために使用される。第２指示情報は、ブロードキャストチャネルの参照信号の中で搬送されてよい。例えば、ブロードキャストチャネルの参照信号は、ビットシーケンス長が３ビットの第２指示情報を含む。代替として、第２指示情報の一部は、ブロードキャストチャネルの参照信号で搬送され、第２指示情報の他の部分は、システム情報（master  information  block,  MIB）の中で搬送されてよい。例えば、第２指示情報のビットシーケンス長は６ビットであり、ブロードキャストチャネルの参照信号は６ビットのうちの最初の３ビットであり、MIBは６ビットのうちの最後の３ビットの情報を含む。
【手続補正８】
【補正対象書類名】明細書
【補正対象項目名】００８１
【補正方法】変更
【補正の内容】
【００８１】
位置種類２。位置種類２は、６４個の時間ドメイン位置を含み、これは、タイムスロットnの中の番号２〜５を有するシンボル、タイムスロットnの中の番号８〜１１を有するシンボル、タイムスロットn＋１の中の番号２〜５を有するシンボル、タイムスロットn＋１の中の番号８〜１１を有するシンボル、．．．、タイムスロットn＋７の中の番号２〜５を有するシンボル、タイムスロットn＋７の中の番号８〜１１を有するシンボル、等である。
【手続補正９】
【補正対象書類名】明細書
【補正対象項目名】０１１４
【補正方法】変更
【補正の内容】
【０１１４】
第３のオプションでは、制御チャネルの時間ドメイン位置の一部は、ブロードキャストチャネルの時間ドメイン位置と直交し、制御チャネルの時間ドメイン位置の他の部分は、ブロードキャストチャネルの時間ドメイン位置と正確に同じであってよい。代替として、制御チャネルの時間ドメイン位置の一部は、ブロードキャストチャネルの時間ドメイン位置と直交し、制御チャネルの時間ドメイン位置の他の部分は、ブロードキャストチャネルの時間ドメイン位置と部分的に同じであってよい。代替として、制御チャネルの時間ドメイン位置の一部は、ブロードキャストチャネルに対応する同期信号の時間ドメイン位置と直交し、制御チャネルの時間ドメイン位置の他の部分は、ブロードキャストチャネルに対応する同期信号の時間ドメイン位置と正確に同じであってよい。代替として、制御チャネルの時間ドメイン位置の一部は、ブロードキャストチャネルに対応する同期信号の時間ドメイン位置と直交し、制御チャネルの時間ドメイン位置の他の部分は、ブロードキャストチャネルに対応する同期信号の時間ドメイン位置と部分的に同じであってよい。
【国際調査報告】
2020530738.tif 000015
2020530738.tif 000016
2020530738.tif 000017
2020530738.tif 000018